(57)【要約】  通信制御システムは、移動体通信端末における無線通信を制御する無線基地局Ａと無線基地局Ｂと、当該無線基地局Ａと無線基地局Ｂとの間における経路制御およびデータ送受信制御を有線通信にて実施するＥＰＣとから構成される。このような構成において、無線基地局ＡのセルＢを介して無線通信を行っている移動体通信端末が、利用者の地理的移動などによって無線基地局ＢのセルＣを利用する環境下に移動したとする。すると、無線基地局Ｂは、移動体通信端末から、無線経路の切り替えを要求するハンドオーバ要求を受信した場合に、自装置を介した無線経路に切り替え、無線経路が切り替えられてから所定時間経過後に、移動体通信端末へのデータ送受信制御を行っている無線基地局Ａを介した有線経路を、自装置を介した有線経路に切り替える要求をＥＰＣに対して送信する。
2009122523.tif 000002
【特許請求の範囲】
【請求項１】
移動体通信端末における無線通信を制御する通信制御装置と、当該通信制御装置と他の通信制御装置との間における経路制御およびデータ送受信制御を有線通信にて実施する管理装置とから構成される無線通信制御システムにおける前記通信制御装置であって、
他の通信制御装置を介した無線経路で無線通信を行っている移動体通信端末から、前記無線経路の切り替えを要求するハンドオーバ要求を受信した場合に、自装置を介した無線経路に切り替える無線経路切替手段と、
前記無線経路切替手段により無線経路が切り替えられてから所定時間経過後に、前記移動体通信端末へのデータ送受信制御を行っている前記他の通信制御装置を介した有線経路を、自装置を介した有線経路に切り替える要求を前記管理装置に対して送信する有線切替要求送信手段と、
を備えたことを特徴とする通信制御装置。
【請求項２】
前記管理装置が制御する有線経路の輻輳状況を前記管理装置から受け付けて保持する輻輳状況保持手段をさらに備え、
前記有線切替要求送信手段は、前記無線経路切替手段により無線経路が切り替えられてから所定時間経過後に、前記輻輳状況保持手段に保持されている輻輳状況に基づいて、前記管理装置が制御する有線経路に輻輳が発生していないと判断した場合に、前記自装置を介した有線経路に切り替える要求を前記管理装置に対して送信することを特徴とする請求項１に記載の通信制御装置。
【請求項３】
前記移動体通信端末は、過去に実施した無線経路の切り替えの履歴情報を示すハンドオーバ履歴を付加したハンドオーバ要求を送信するものであって、
前記無線経路切替手段は、前記他の通信制御装置を介した無線経路で無線通信を行っている移動体通信端末から、前記無線経路の切り替えを要求するハンドオーバ要求を受信した場合に、自装置を介した無線経路に切り替えるとともに、当該ハンドオーバ要求に付加されたハンドオーバ履歴を取得して所定の記憶部に格納し、
前記有線切替要求送信手段は、前記無線経路切替手段により無線経路が切り替えられてから所定時間経過後に、前記無線経路切替手段により取得されて所定の記憶部に格納されているハンドオーバ履歴に基づいて、前記移動体通信端末の通信が安定していると判断した場合に、前記自装置を介した有線経路に切り替える要求を前記管理装置に対して送信することを特徴とする請求項１に記載の通信制御装置。
【請求項４】
前記移動体通信端末は、過去に実施した無線経路の切り替えタイミングの移動速度を示す速度情報を付加したハンドオーバ要求を送信するものであって、
前記無線経路切替手段は、前記他の通信制御装置を介した無線経路で無線通信を行っている移動体通信端末から、前記無線経路の切り替えを要求するハンドオーバ要求を受信した場合に、自装置を介した無線経路に切り替えるとともに、当該ハンドオーバ要求に付加された速度情報を取得して所定の記憶部に格納し、
前記有線切替要求送信手段は、前記無線経路切替手段により無線経路が切り替えられてから所定時間経過後に、前記無線経路切替手段により取得されて所定の記憶部に格納されている速度情報が所定の速度以下である場合に、前記自装置を介した有線経路に切り替える要求を前記管理装置に対して送信することを特徴とする請求項１に記載の通信制御装置。
【請求項５】
前記有線切替要求送信手段は、前記自装置を介した有線経路に切り替える要求を前記管理装置に対して送信し、前記管理装置から有線経路切り替えが失敗したことを示す切替失敗応答を受信した場合に、当該切り替える前の有線経路を用いて前記移動体通信端末と通信を行うことを特徴とする請求項１に記載の通信制御装置。
【請求項６】
前記有線切替要求送信手段は、前記自装置を介した有線経路に切り替える要求を前記管理装置に対して送信し、前記管理装置から有線経路切り替えが失敗したことを示す切替失敗応答を受信した場合に、当該切り替える前の有線経路を用いて前記移動体通信端末と通信を行う一方で、さらに所定時間経過後に、自装置を介した有線経路に切り替える要求を前記管理装置に対して送信することを特徴とする請求項１に記載の通信制御装置。
【請求項７】
移動体通信端末における無線通信を制御する通信制御装置と、当該通信制御装置と他の通信制御装置との間における経路制御およびデータ送受信制御を有線通信にて実施する管理装置とから構成される無線通信制御システムにおける前記通信制御装置に適する通信制御方法であって、
他の通信制御装置を介した無線経路で無線通信を行っている移動体通信端末から、前記無線経路の切り替えを要求するハンドオーバ要求を受信した場合に、自装置を介した無線経路に切り替える無線経路切替工程と、
前記無線経路切替工程により無線経路が切り替えられてから所定時間経過後に、前記移動体通信端末へのデータ送受信制御を行っている前記他の通信制御装置を介した有線経路を、自装置を介した有線経路に切り替える要求を前記管理装置に対して送信する有線切替要求送信工程と、
を含んだことを特徴とする通信制御方法。
【請求項８】
前記管理装置が制御する有線経路の輻輳状況を前記管理装置から受け付けて保持する輻輳状況保持工程をさらに備え、
前記有線切替要求送信工程は、前記無線経路切替工程により無線経路が切り替えられてから所定時間経過後に、前記輻輳状況保持工程に保持されている輻輳状況に基づいて、前記管理装置が制御する有線経路に輻輳が発生していないと判断した場合に、前記自装置を介した有線経路に切り替える要求を前記管理装置に対して送信することを特徴とする請求項７に記載の通信制御方法。
【請求項９】
前記移動体通信端末は、過去に実施した無線経路の切り替えの履歴情報を示すハンドオーバ履歴を付加したハンドオーバ要求を送信するものであって、
前記無線経路切替工程は、前記他の通信制御装置を介した無線経路で無線通信を行っている移動体通信端末から、前記無線経路の切り替えを要求するハンドオーバ要求を受信した場合に、自装置を介した無線経路に切り替えるとともに、当該ハンドオーバ要求に付加されたハンドオーバ履歴を取得して所定の記憶部に格納し、
前記有線切替要求送信工程は、前記無線経路切替工程により無線経路が切り替えられてから所定時間経過後に、前記無線経路切替工程により取得されて所定の記憶部に格納されているハンドオーバ履歴に基づいて、前記移動体通信端末の通信が安定していると判断した場合に、前記自装置を介した有線経路に切り替える要求を前記管理装置に対して送信することを特徴とする請求項７に記載の通信制御方法。
【請求項１０】
前記移動体通信端末は、過去に実施した無線経路の切り替えタイミングの移動速度を示す速度情報を付加したハンドオーバ要求を送信するものであって、
前記無線経路切替工程は、前記他の通信制御装置を介した無線経路で無線通信を行っている移動体通信端末から、前記無線経路の切り替えを要求するハンドオーバ要求を受信した場合に、自装置を介した無線経路に切り替えるとともに、当該ハンドオーバ要求に付加された速度情報を取得して所定の記憶部に格納し、
前記有線切替要求送信工程は、前記無線経路切替工程により無線経路が切り替えられてから所定時間経過後に、前記無線経路切替工程により取得されて所定の記憶部に格納されている速度情報が所定の速度以上である場合に、前記自装置を介した有線経路に切り替える要求を前記管理装置に対して送信することを特徴とする請求項７に記載の通信制御方法。
【請求項１１】
前記有線切替要求送信工程は、前記自装置を介した有線経路に切り替える要求を前記管理装置に対して送信し、前記管理装置から有線経路切り替えが失敗したことを示す切替失敗応答を受信した場合に、当該切り替える前の有線経路を用いて前記移動体通信端末と通信を行うことを特徴とする請求項７に記載の通信制御方法。
【請求項１２】
前記有線切替要求送信工程は、前記自装置を介した有線経路に切り替える要求を前記管理装置に対して送信し、前記管理装置から有線経路切り替えが失敗したことを示す切替失敗応答を受信した場合に、当該切り替える前の有線経路を用いて前記移動体通信端末と通信を行う一方で、さらに所定時間経過後に、自装置を介した有線経路に切り替える要求を前記管理装置に対して送信することを特徴とする請求項７に記載の通信制御方法。
【請求項１３】
移動体通信端末における無線通信を制御する通信制御装置と、当該通信制御装置と他の通信制御装置との間における経路制御およびデータ送受信制御を有線通信にて実施する管理装置とから構成される無線通信制御システムにおける前記通信制御装置としてのコンピュータに実行させる通信制御プログラムであって、
他の通信制御装置を介した無線経路で無線通信を行っている移動体通信端末から、前記無線経路の切り替えを要求するハンドオーバ要求を受信した場合に、自装置を介した無線経路に切り替える無線経路切替手順と、
前記無線経路切替手順により無線経路が切り替えられてから所定時間経過後に、前記移動体通信端末へのデータ送受信制御を行っている前記他の通信制御装置を介した有線経路を、自装置を介した有線経路に切り替える要求を前記管理装置に対して送信する有線切替要求送信手順と、
をコンピュータに実行させることを特徴とする通信制御プログラム。
【請求項１４】
前記管理装置が制御する有線経路の輻輳状況を前記管理装置から受け付けて保持する輻輳状況保持手順をさらに備え、
前記有線切替要求送信手順は、前記無線経路切替手順により無線経路が切り替えられてから所定時間経過後に、前記輻輳状況保持手順に保持されている輻輳状況に基づいて、前記管理装置が制御する有線経路に輻輳が発生していないと判断した場合に、前記自装置を介した有線経路に切り替える要求を前記管理装置に対して送信することを特徴とする請求項１３に記載の通信制御プログラム。
【請求項１５】
前記移動体通信端末は、過去に実施した無線経路の切り替えの履歴情報を示すハンドオーバ履歴を付加したハンドオーバ要求を送信するものであって、
前記無線経路切替手順は、前記他の通信制御装置を介した無線経路で無線通信を行っている移動体通信端末から、前記無線経路の切り替えを要求するハンドオーバ要求を受信した場合に、自装置を介した無線経路に切り替えるとともに、当該ハンドオーバ要求に付加されたハンドオーバ履歴を取得して所定の記憶部に格納し、
前記有線切替要求送信手順は、前記無線経路切替手順により無線経路が切り替えられてから所定時間経過後に、前記無線経路切替手順により取得されて所定の記憶部に格納されているハンドオーバ履歴に基づいて、前記移動体通信端末の通信が安定していると判断した場合に、前記自装置を介した有線経路に切り替える要求を前記管理装置に対して送信することを特徴とする請求項１３に記載の通信制御プログラム。
【請求項１６】
前記移動体通信端末は、過去に実施した無線経路の切り替えタイミングの移動速度を示す速度情報を付加したハンドオーバ要求を送信するものであって、
前記無線経路切替手順は、前記他の通信制御装置を介した無線経路で無線通信を行っている移動体通信端末から、前記無線経路の切り替えを要求するハンドオーバ要求を受信した場合に、自装置を介した無線経路に切り替えるとともに、当該ハンドオーバ要求に付加された速度情報を取得して所定の記憶部に格納し、
前記有線切替要求送信手順は、前記無線経路切替手順により無線経路が切り替えられてから所定時間経過後に、前記無線経路切替手順により取得されて所定の記憶部に格納されている速度情報が所定の速度以上である場合に、前記自装置を介した有線経路に切り替える要求を前記管理装置に対して送信することを特徴とする請求項１３に記載の通信制御プログラム。
【請求項１７】
前記有線切替要求送信手順は、前記自装置を介した有線経路に切り替える要求を前記管理装置に対して送信し、前記管理装置から有線経路切り替えが失敗したことを示す切替失敗応答を受信した場合に、当該切り替える前の有線経路を用いて前記移動体通信端末と通信を行うことを特徴とする請求項１３に記載の通信制御プログラム。
【請求項１８】
前記有線切替要求送信手順は、前記自装置を介した有線経路に切り替える要求を前記管理装置に対して送信し、前記管理装置から有線経路切り替えが失敗したことを示す切替失敗応答を受信した場合に、当該切り替える前の有線経路を用いて前記移動体通信端末と通信を行う一方で、さらに所定時間経過後に、自装置を介した有線経路に切り替える要求を前記管理装置に対して送信することを特徴とする請求項１３に記載の通信制御プログラム。
【発明の詳細な説明】
【技術分野】
【０００１】
この発明は、移動体通信端末における無線通信を制御する通信制御装置と、当該通信制御装置と他の通信制御装置との間における経路制御およびデータ送受信制御を有線通信にて実施する管理装置とから構成される無線通信制御システムにおける通信制御装置、通信制御方法および通信制御プログラムに関する。
【背景技術】
【０００２】
従来より、第３世代（３Ｇ）移動体通信から第４世代（４Ｇ）移動体通信への移行を段階的に進めるために高速移動体通信の規格として、ＬＴＥ（Long  Term  Evolution：スーパー３Ｇ）の開発が行われている。このＬＴＥは、ＩＭＴ−２０００発展系であると位置付けながら、４Ｇへの移行をスムーズに行うために、無線インターフェースやＲＡＮ（Radio  Access  Controller）アーキテクチャを３Ｇシステムから抜本的に見直している。その結果、遅延時間の圧縮や通信速度の向上などによって、下り最大３００Ｍビット／秒、上り最大５０Ｍビット／秒のデータ通信速度を実現する。【０００３】
このＬＴＥでは、現在の３Ｇから無線アクセスシステムのノードの変更がある。具体的には、複数の基地局を集中的に管理するために、従来の３Ｇでは設置されていたＲＮＣ（Radio  Network  Controller）が省かれて、基地局のみで分散制御を行う１ノードに簡略化され、ＲＮＣが備えていた機能の殆どは無線基地局へ再配置される。【０００４】
また、ＬＴＥでは、現在の３Ｇと異なり、通信中に確立されるリンクの数は１リンクのみとなる。このため、セルをまたがる移動（ハンドーオーバ）が行われる場合は、一旦、移動元のセルとの接続を切断し、移動先のセルと接続を確立する必要があり、また、基地局跨りのハンドオーバの場合は、上記に加えて上位ノード（ＥＰＣ）とのパスの切替処理を実施する必要がある（特許文献１参照）。【０００５】
ここで、移動体通信端末が基地局を跨って移動した場合に、リンクを確立する例を具体的に説明する。図１４−１に示すように、この通信システムは、電波を管理する範囲を示すセルＡとセルＢとを有線にて収容する無線基地局であるＳｅＮＢと、同様にセルＣを有線にて収容するＴｅＮＢと、ＳｅＮＢとＴｅＮＢとを有線にて収容するＥＰＣとの基地局間の通信制御（データ送受信や接続などの制御）を行うＥＰＣと、セルＢを利用して無線通信を行う移動体通信端末とから構成されている。【０００６】
このような構成において、図１４−２に示すように、移動体通信端末がセルＣを利用する環境下に移動した場合に、移動体通信端末は、移動前から利用しているセルＢを介してＳｅＮＢにハンドオーバ要求を送信し、ハンドオーバ要求を受信したＳｅＮＢは、セルＣを収容するＴｅＮＢとの間にセッションを確立し、ＥＰＣから移動体通信端末宛に送信されたデータをＴｅＮＢに転送する。その後、図１４−３に示すように、セルＣと移動体通信端末との接続が確立されると、ＴｅＮＢは、ＳｅＮＢから受信して蓄積していた移動体通信端末宛のデータをセルＣを介して移動体通信端末に送信し、ＥＰＣは、ＳｅＮＢからＴｅＮＢにパス切替を実行する。つまり、移動体通信端末が無線基地局間を跨って移動した場合、移動体通信端末との無線区間の切替が実施された後に、ＥＰＣと無線基地局間の有線区間の切替が実施される。【０００７】
【特許文献１】特開２００６−１５７５２８号公報
【発明の開示】
【発明が解決しようとする課題】
【０００８】
しかしながら、上記した従来の技術では、パスの切替処理を行うノード間のメッセージをハンドオーバの度に送信する必要があるため、ネットワークの輻輳を引き起こしてしまうという課題と、無線基地局間のデータ送受信制御を行う管理装置に対してハンドオーバの度にパスの切替要求を行うため、管理装置の処理負荷を上げてしまうという課題があった。【０００９】
上記した例で具体的に説明すると、移動体通信端末が、各無線基地局に収容されるセルとの接続を確立する前に、無線基地局であるＳｅＮＢとＴｅＮＢとの間を頻繁に移動した場合、ＥＰＣ（管理装置）から移動体通信端末宛に送信されたデータは、移動体通信端末までに送信されずに、ＳｅＮＢとＴｅＮＢとのそれぞれに一時的に蓄積され続けることとなる。その結果、ＳｅＮＢとＴｅＮＢとのそれぞれは、当該移動体通信端末以外の他の移動体通信端末から送信されるデータの処理に遅延が発生し、ネットワーク全体が繋がりにくくなるなどの事象が発生する。また、ＥＰＣは、ハンドオーバが起こるごとに、ＳｅＮＢとＴｅＮＢとからハンドオーバ要求を受信してパス切替処理を実施することになり、処理負荷が高くなる。【００１０】
さらに、多数の移動体通信端末が同時にハンドオーバを行うような場合は、より顕著に現れることになり、ＬＴＥにおいては、現状３Ｇに比べてノード（無線基地局）跨りハンドオーバ（ＲＮＣ跨りハンドオーバ、ＬＴＥでいう無線基地局跨りハンドオーバ）の発生率が高くなる為、上記の課題が顕著になって現れてくる。【００１１】
そこで、この発明は、上述した従来技術の課題を解決するためになされたものであり、無線基地局としての通信制御装置を跨ったハンドオーバを行った場合でも、ネットワークの輻輳を抑止することが可能であり、無線基地局間のデータ送受信制御を行う管理装置の処理負荷を軽減することが可能である通信制御装置、通信制御方法および通信制御プログラムを提供することを目的とする。
【課題を解決するための手段】
【００１２】
上述した課題を解決し、本装置は、移動体通信端末における無線通信を制御する通信制御装置と、当該通信制御装置と他の通信制御装置との間における経路制御およびデータ送受信制御を有線通信にて実施する管理装置とから構成される無線通信制御システムにおける通信制御装置であって、他の通信制御装置を介した無線経路で無線通信を行っている移動体通信端末から、前記無線経路の切り替えを要求するハンドオーバ要求を受信した場合に、自装置を介した無線経路に切り替える無線経路切替手段と、前記無線経路切替手段により無線経路が切り替えられてから所定時間経過後に、前記移動体通信端末へのデータ送受信制御を行っている前記他の通信制御装置を介した有線経路を、自装置を介した有線経路に切り替える要求を管理装置に対して送信する有線切替要求送信手段と、を備えたことを特徴とする。
【発明の効果】
【００１３】
本発明によれば、他の通信制御装置を介した無線経路で無線通信を行っている移動体通信端末から、前記無線経路の切り替えを要求するハンドオーバ要求を受信した場合に、自装置を介した無線経路に切り替え、無線経路が切り替えられてから所定時間経過後に、移動体通信端末へのデータ送受信制御を行っている他の通信制御装置を介した有線経路を、自装置を介した有線経路に切り替える要求を管理装置に対して送信するので、無線基地局としての通信制御装置を跨ったハンドオーバを行った場合でも、ネットワークの輻輳を抑止することが可能であり、無線基地局間のデータ送受信制御を行う管理装置の処理負荷を軽減することが可能である。
【図面の簡単な説明】
【００１４】
【図１】図１は、実施例１に係る通信制御システムの構成を示すブロック図である。
【図２】図２は、実施例１に係る通信制御システムによる処理の流れを示すシーケンス図である。
【図３−１】図３−１は、シーケンスにおける状態１を示す図である。
【図３−２】図３−２は、シーケンスにおける状態２を示す図である。
【図３−３】図３−３は、シーケンスにおける状態３を示す図である。
【図４】図４は、実施例１に係る無線基地局Ａにおける処理の流れを示すフローチャートである。
【図５】図５は、実施例１に係る無線基地局Ｂにおける処理の流れを示すフローチャートである。
【図６】図６は、実施例１に係るＥＰＣにおける処理の流れを示すフローチャートである。
【図７】図７は、実施例２に係る通信制御システムにおける処理の流れを示すシーケンス図である。
【図８】図８は、ＥＰＣ情報ＤＢに記憶される情報の例を示す図である。
【図９】図９は、実施例３に係る通信制御システムにおける処理の流れを示すシーケンス図である。
【図１０】図１０は、移動端末情報ＤＢ３３０に記憶される情報の例を示す図である。
【図１１】図１１は、実施例４に係る通信制御システムにおける処理の流れを示すシーケンス図である。
【図１２】図１２は、実施例５に係る通信制御システムにおける処理の流れを示すシーケンス図である。
【図１３】図１３は、通信制御制御プログラムを実行するコンピュータシステムの例を示す図である。
【図１４−１】図１４−１は、従来技術を説明するための図である。
【図１４−２】図１４−２は、従来技術を説明するための図である。
【図１４−３】図１４−３は、従来技術を説明するための図である。
【符号の説明】
【００１５】
２００  ＥＰＣ
３００  無線基地局Ａ
３０１  バッファメモリ
３０２  制御信号送受信部（有線向け）
３０３  呼制御部
３０４  制御信号送受信部（無線向け）
３０５  データ送受信部（有線向け）
３０６  データ送受信部（無線向け）
３０７  タイマ制御部
３０８  パス切替判断部
３１０  移動端末情報ＤＢ
３２０  無線基地局Ｂ
３２１  バッファメモリ
３２２  制御信号送受信部（有線向け）
３２３  呼制御部
３２４  制御信号送受信部（無線向け）
３２５  データ送受信部（有線向け）
３２６  データ送受信部（無線向け）
３２７  タイマ制御部
３２８  パス切替判断部
３２９  ＥＰＣ情報ＤＢ
３３０  移動端末情報ＤＢ
５００  移動体通信端末
６００  コンピュータシステム
６０１  ＲＡＭ
６０２  ＨＤＤ
６０３  ＲＯＭ
６０３ａ  無線経路切替プログラム
６０３ｂ  有線経路切替要求送信プログラム
６０４  ＣＰＵ
６０４ａ  無線経路切替プロセス
６０４ｂ  有線経路切替要求送信プロセス
【発明を実施するための最良の形態】
【００１６】
以下に添付図面を参照して、この発明に係る通信制御装置、通信制御方法および通信制御プログラムの実施例を詳細に説明する。なお、以下では、本実施例に係る通信制御装置の概要および特徴、通信制御装置の構成および処理の流れを順に説明し、最後に本実施例に対する種々の変形例を説明する。
【実施例１】
【００１７】
［通信制御装置（無線基地局）の概要および特徴］
まず最初に、実施例１に係る通信制御装置の概要および特徴を説明する。実施例１に係る通信制御装置を含む通信制御システムは、移動体通信端末（特許請求の範囲に記載の「移動体通信端末」に対応する）における無線通信を制御する無線基地局Ａ（特許請求の範囲に記載の「他の通信制御装置」に対応する）と無線基地局Ｂ（特許請求の範囲に記載の「通信制御装置」に対応する）と、当該無線基地局Ａと無線基地局Ｂとの間における経路制御およびデータ送受信制御を有線通信にて実施するＥＰＣ（特許請求の範囲に記載の「管理装置」に対応する）とから構成される。なお、本実施例では、ＥＰＣが１台の場合を例にして説明するが、複数のＥＰＣが接続されていてもよい。【００１８】
この無線基地局Ａは、電波を管理する範囲を区分したセルＡとセルＢとを備え、無線基地局Ｂは、同様にセルＣを備える。なお、本実施例では、無線基地局ＡのセルＢを介して無線通信を行っている移動体通信端末が、利用者の地理的移動などによって無線基地局ＢのセルＣを利用する環境下に移動した場合について説明する。そのため、無線基地局Ａが特許請求の範囲に記載の「他の通信制御装置」に対応し、無線基地局Ｂが特許請求の範囲に記載の「通信制御装置」に対応することとなるが、本発明はこれに限定されるものではなく、無線基地局Ａが特許請求の範囲に記載の「通信制御装置」に対応し、無線基地局Ｂが特許請求の範囲に記載の「他の通信制御装置」に対応する場合もある。つまり、移動体通信端末が移動する前に利用しているセルを収容している無線基地局が「他の通信制御装置」に対応し、移動体通信端末が移動した先で利用するセルを収容している無線基地局が「通信制御装置」に対応することとなる。【００１９】
このような構成において、実施例１に係る通信制御装置である無線基地局Ｂは、ネットワークの輻輳を抑止することが可能であり、無線基地局間のデータ送受信制御を行う管理装置の処理負荷を軽減することが可能であることに主たる特徴がある。【００２０】
上記した例で具体的に説明すると、無線基地局ＡのセルＢを介して無線通信を行っている移動体通信端末が、利用者の地理的移動などによって無線基地局ＢのセルＣを利用する環境下に移動した場合、セルＣと移動体通信端末との間に無線通信が確立される。そして、無線基地局Ｂは、セルＣと移動体通信端末との間に無線通信が確立されて所定の時間経過後に、ＥＰＣに対して有線区間の切り替えを要求し、この要求を受信したＥＰＣは、移動体通信端末宛てに送信するデータの送信経路として、ＥＰＣから無線基地局Ａの有線区間をＥＰＣから無線基地局Ｂの有線区間に切替える。【００２１】
つまり、無線基地局Ｂは、セルＣと移動体通信端末との間に無線通信が確立されて所定の時間経過するまで、有線区間の切替要求をＥＰＣに送信しないことで、確立されたセルＣと移動体通信端末との間に無線通信が安定するまで待機することになる。その結果、移動体通信端末がセルＢとセルＣとを頻繁に移動したとしても、無線基地局Ｂは、セルＣと移動体通信端末との通信が安定するまで、有線区間切替要求をＥＰＣに対して無駄に送信することがない結果、ネットワークの輻輳を抑止することが可能であり、無線基地局間のデータ送受信制御を行うＥＰＣの処理負荷を軽減することが可能である。【００２２】
［通信制御装置（無線基地局）の構成］
次に、図１を用いて、実施例１に係る通信制御システムの構成を説明する。図１は、実施例１に係る通信制御システムの構成を示すブロック図である。【００２３】
そして、図１に示したＥＰＣ２００は、本実施例のような移動体通信端末における通信制御システムで用いられる無線基地局間のデータ送受信制御を行う管理装置と同様の構成を有し、また、移動体通信端末５００は、一般的に広く利用されているパーソナルコンピュータやワークステーション、家庭用ゲーム機、インターネットＴＶ、ＰＤＡ、あるいは携帯電話やＰＨＳの如き移動体通信端末と同様の構成を有するので、ここでは、詳細な説明は省略する。また、無線基地局Ａ３００と無線基地局Ｂ３２０とは同様の構成を有するので、ここでは、無線基地局Ｂ３２０についてのみ詳細に説明する。【００２４】
図１に示すように、無線基地局Ｂ３２０は、バッファメモリ３２１と、制御信号送受信部（有線向け）３２２と、呼制御部３２３と、制御信号送受信部（無線向け）３２４と、データ送受信部（有線向け）３２５と、データ送受信部（無線向け）３２６と、タイマ制御部３２７と、パス切替判断部３２８とから構成される。【００２５】
バッファメモリ３２１は、ＥＰＣ２００や無線基地局Ａ３００、移動体通信端末５００との間の受信データの格納、送信データの格納バッファである。上記した例で具体的に説明すると、バッファメモリ３２１は、接続されるデータ送受信部（有線向け）３２５により、ＥＰＣ２００から移動体通信端末５００宛てに送信されたデータを格納したり、接続されるデータ送受信部（無線向け）３２６により、移動体通信端末５００宛てに送信されるデータを格納したりする。【００２６】
制御信号送受信部（有線向け）３２２は、ＥＰＣ２００との間の制御信号の送受信を実施する。上記した例で具体的に説明すると、制御信号送受信部（有線向け）３２２は、ＥＰＣ２００から送信された制御信号（例えば、有線経路（パス）切替実施完了信号など）を受信して、呼制御部３２３に出力する。また、制御信号送受信部（有線向け）３２２は、呼制御部３２３の指示により、制御信号をＥＰＣ２００や無線基地局Ａ３００に送信する。【００２７】
呼制御部３２３は、無線基地局Ａ３００を介した無線経路で無線通信を行っている移動体通信端末５００から、無線経路の切り替えを要求するハンドオーバ要求を受信した場合に、自装置を介した無線経路に切り替える。上記した例で具体的に説明すると、移動体通信端末５００から送信されたハンドオーバ要求は、無線基地局Ａ３００の制御信号送受信部（無線向け）３０４に受信されて、制御信号送受信部（有線向け）３０２から無線基地局Ｂ３２０に送信される。そして、このハンドオーバ要求は、無線基地局Ｂ３２０の制御信号送受信部（有線向け）３２２により受信され、呼制御部３２３に通知される。すると、呼制御部３２３は、無線基地局Ｂ３２０の制御信号送受信部（有線向け）３２２と、無線基地局Ａ３００の制御信号送受信部（有線向け）３０２と制御信号送受信部（無線向け）３０４とを介して、無線経路を切替えるハンドオーバ応答を移動体通信端末５００に送信する。こうすることで、移動体通信端末５００において無線経路の切替が実行される。【００２８】
さらには、呼制御部３２３は、移動体通信端末５００へのデータ送受信制御を行っている無線基地局Ａ３００を介した有線経路を、自装置を介した有線経路に切り替える要求をパス切替判断部３２８から受信すると、当該要求をＥＰＣ２００に対して送信する。また、呼制御部３２３は、ＥＰＣ２００、無線基地局Ａ３００との間の制御信号の分析／解析を実施し、制御信号に応じて、移動体通信端末５００に対する制御信号を後述する制御信号送受信部（無線向け）３２４を介して送受信したり、バッファメモリ３２１内のデータをデータ送受信部（有線向け）３２５を介して送受信したりする。【００２９】
また、呼制御部３２３は、無線経路の接続状態を監視し、ハンドオーバの検出および移動体通信端末５００との間の制御信号の分析／解析を実施し、制御信号に応じて、ＥＰＣ２００に対する制御信号を制御信号送受信部（有線向け）３２２を介して送受信したり、バッファメモリ３２１内のデータを後述するデータ送受信部（無線向け）３２６を介して送受信したりする。そして、呼制御部３２３は、ハンドオーバ時の無線区間の切替が完了した際に、パス切替判断要求をパス切替判断部３２８に通知する。【００３０】
さらに、呼制御部３２３は、後述するパス切替判断部３２８より、パス切替の要求を受信し、ＥＰＣ２００に対してパス切替要求の制御信号を制御信号送受信部（有線向け）３２２を介して送信する。そして、呼制御部３２３は、ＥＰＣ２００よりパス切替失敗の制御信号を受信した際に、パス切替失敗の通知をパス切替判断部３２８に対して行う。【００３１】
制御信号送受信部（無線向け）３２４は、移動体通信端末５００との間の制御信号の送受信を実施する。上記した例で具体的に説明すると、制御信号送受信部（無線向け）３２４は、移動体通信端末５００から送信された制御信号を受信して呼制御部３２３に出力したり、呼制御部３２３の指示により、ＥＰＣ２００から受信した制御信号を移動体通信端末５００に出力したりする。【００３２】
データ送受信部（有線向け）３２５は、ＥＰＣ２００および無線基地局Ａ３００との間のデータの送受信を実施する。上記した例で具体的に説明すると、データ送受信部（有線向け）３２５は、移動体通信端末５００から送信された各種データを受信してバッファメモリ３２１に格納したり、呼制御部３２３の指示により、バッファメモリ３２１から各種データを取得して、移動体通信端末５００に送信したりする。また、データ送受信部（有線向け）３２５は、無線基地局Ａ３００からデータを受信してバッファメモリ３２１に格納したり、呼制御部３２３の指示によりバッファメモリ３２１に格納されるデータを取得して無線基地局Ａ３００に送信したりする。【００３３】
データ送受信部（無線向け）３２６は、移動体通信端末５００との間のデータの送受信を実施する。上記した例で具体的に説明すると、データ送受信部（無線向け）３２６は、ＥＰＣ２００から送信された各種データを受信してバッファメモリ３２１に格納したり、呼制御部３２３の指示により、バッファメモリ３２１から各種データを取得して、ＥＰＣ２００に送信したりする。【００３４】
タイマ制御部３２７は、タイマの開始および終了通知を実施する。上記した例で具体的に説明すると、タイマ制御部３２７は、後述するパス切替判断部３２８からのタイマ設定を受信してタイマを起動する。その後、タイマ制御部３２７は、該当タイマがタイムアウトした際には、パス切替判断部３２８に対して、タイムアウト通知を行う。【００３５】
パス切替判断部３２８は、呼制御部３２３により無線経路が切り替えられてから所定時間経過後に、移動体通信端末５００へのデータ送受信制御を行っている無線基地局Ａ３００を介した有線経路を、自装置を介した有線経路に切り替える要求を呼制御部３２３を介してＥＰＣ２００に対して送信する。上記した例で具体的に説明すると、パス切替判断部３２８は、無線経路が切り替えられた旨の通知を呼制御部３２３から受信すると、タイマ制御部３２７にタイマ開始を指示する。その後、パス切替判断部３２８は、タイマ制御部３２７からタイマ完了通知を受信すると、自装置を介した有線経路に切り替える要求を呼制御部３２３に通知する。そして、呼制御部３２３は、自装置を介した有線経路に切り替える要求をＥＰＣ２００に対して送信することで、ＥＰＣ２００にて有線経路の切替が実施される。【００３６】
［通信制御システムによる処理］
次に、図２〜図６を用いて、実施例１に係る通信制御システムによる処理を説明する。ここでは、はじめに、図２と図３とを用いて、実施例１に係る通信制御システムによる処理シーケンスを説明し、次に、図４〜図６を用いて、各装置における処理の流れを説明する。【００３７】
（通信制御システムによる処理シーケンス）
まず、図２と図３とを用いて、実施例１に係る通信制御システムによる処理シーケンスを説明する。図２は、実施例１に係る通信制御システムによる処理の流れを示すシーケンス図であり、図３−１は、シーケンスにおける状態１を示す図であり、図３−２は、シーケンスにおける状態２を示す図であり、図３−３は、シーケンスにおける状態３を示す図である。【００３８】
図２に示すように、この通信制御システムは、図３−１に示すように、無線基地局Ａ３００のセルＢを介して無線通信を行っている移動体通信端末５００と、セルＡとセルＢとを備えた無線通信を制御する無線基地局Ａ３００と、セルＣを備えた無線通信を制御する無線基地局Ｂ３２０と、当該無線基地局Ａ３００と無線基地局Ｂ３２０との間における経路制御およびデータ送受信制御を有線通信にて実施するＥＰＣ２００とから構成されている（状態１）。【００３９】
このような構成において、移動体通信端末５００は、利用者の地理的移動などによって無線基地局Ｂ３２０のセルＣを利用する環境下に移動した場合にハンドオーバの契機が発生し（ステップＳ１０１）、ハンドオーバ要求を無線基地局Ａ３００に送信する（ステップＳ１０２）。【００４０】
このハンドオーバ要求を受信した無線基地局Ａ３００の制御信号送受信部（無線向け）３０４は、呼制御部３０３と制御信号送受信部（有線向け）３０２とを介して、当該ハンドオーバ要求を無線基地局Ｂ３２０に送信する（ステップＳ１０３〜ステップＳ１０５）。【００４１】
そして、無線基地局Ａ３００からハンドオーバ要求を受信した無線基地局Ｂ３２０の制御信号送受信部（有線向け）３２２は、当該ハンドオーバ要求を呼制御部３２３に出力する（ステップＳ１０６）。すると、呼制御部３２３は、データ送受信部（無線向け）３２６とデータ送受信部（有線向け）３２５に対して、データ送受信開始を指示する（ステップＳ１０７とステップＳ１０８）。その後、呼制御部３２３は、制御信号送受信部（有線向け）３２２を介して、ハンドオーバを許可する旨の応答としてハンドオーバ応答を無線基地局Ａ３００に送信する（ステップＳ１０９とステップＳ１１０）。【００４２】
続いて、無線基地局Ｂ３２０からハンドオーバ応答を受信した無線基地局Ａ３００の制御信号送受信部（有線向け）３０２は、当該応答を呼制御部３０３に出力する（ステップＳ１１１）。すると、呼制御部３０３は、データ送受信部（無線向け）３０６に対してデータ送受信の停止を指示するとともに（ステップＳ１１２）、データ送受信部（有線向け）３０５に対して受信したデータを無線基地局Ｂ３２０に転送することを指示する（ステップＳ１１３）。その後、呼制御部３０３は、制御信号送受信部（無線向け）３０４を介して、ハンドオーバ応答を移動体通信端末５００に送信する（ステップＳ１１４）。【００４３】
このようにすることで、通信制御システムでは、図３−２に示すように、有線経路として、ＥＰＣ２００〜無線基地局Ａ３００〜無線基地局Ｂ３２０が確立され、無線経路として、無線基地局Ｂ３２０のセルＣ〜移動体通信端末５００が確立中となる。なお、ここでは、無線基地局Ｂ３２０のセルＣと移動体通信端末５００とは、実質的には経路が確立されていることとなるが、無線基地局Ｂ３２０は、移動体通信端末５００に対してデータや制御信号を送信しないように制御する。【００４４】
図２に戻り、無線基地局Ｂ３２０から無線基地局Ａ３００を介してハンドオーバ応答を受信した移動体通信端末５００は、無線基地局Ｂ３２０とのデータ経路を確立し、当該確立した経路を用いて、経路を切替えたことを示すハンドオーバ完了通知を無線基地局Ｂ３２０に送信する（ステップＳ１１５）。【００４５】
そして、ハンドオーバ完了通知を受信した無線基地局Ｂ３２０のデータ送受信部（無線向け）３２６は、当該完了通知を呼制御部３２３に出力し（ステップＳ１１６）、呼制御部３２３は、パス切替判断部３２８に対してパス切替判断要求を送信する（ステップＳ１１７）。【００４６】
このパス切替判断要求を受信したパス切替判断部３２８は、図示しないタイマ制御部３２７に対してタイマ開始指示を送信し、パス切替要否判断処理を実施する（ステップＳ１１８）。ここでは、パス切替判断部３２８は、タイマ制御部３２７からタイマ終了通知を受信すると、パス切替可能と判断する（移動体通信端末５００との無線通信が安定したと判断する）。そして、パス切替可能と判断したパス切替判断部３２８は、パス切替要求を呼制御部３２３に出力する（ステップＳ１１９）。続いて、呼制御部３２３は、当該パス切替要求を制御信号送受信部（有線向け）３２２を介して、ＥＰＣ２００に送信する（ステップＳ１２０とステップＳ１２１）。【００４７】
このパス切替要求を受信したＥＰＣ２００は、無線基地局Ｂ３２０とのデータ経路を確立し、当該データ経路が確立されると、パスを切替えたことを示すパス切替応答を無線基地局Ｂ３２０に送信する（ステップＳ１２２）。【００４８】
ＥＰＣ２００から制御信号送受信部（有線向け）３２２を介してパス切替要求を受信した無線基地局Ｂ３２０の呼制御部３２３は、データ送受信部（有線向け）３２５に対して有線経路の切替を指示し、データ送受信部（有線向け）３２５は、ＥＰＣ２００とのパスの接続を行う（ステップＳ１２３とステップＳ１２４）。続いて、呼制御部３２３は、制御信号送受信部（有線向け）３２２を介して無線基地局Ａ３００に対して、パス切替要求を送信する（ステップＳ１２５とステップＳ１２６）。【００４９】
無線基地局Ｂ３２０から制御信号送受信部（有線向け）３０２を介してパス切替要求を受信した無線基地局Ａ３００の呼制御部３０３は、データ送受信部（有線向け）３０５に対してデータ転送終了を指示し、データ送受信部（有線向け）３０５は、無線基地局Ｂ３２０へのデータ転送を終了する（ステップＳ１２７とステップＳ１２８）。【００５０】
こうすることで、通信制御システムでは、図３−３に示すように、有線経路として、ＥＰＣ２００〜無線基地局Ｂ３２０が確立され、無線経路として、無線基地局Ｂ３２０〜セルＣ〜移動体通信端末５００が確立されることとなる。なお、ここでは、無線基地局Ｂ３２０は、セルＣを介して、移動体通信端末５００に対してデータや制御信号を送信する。【００５１】
（無線基地局Ａ３００における処理の流れ）
次に、図４を用いて、実施例１に係る通信制御システムにおける無線基地局Ａの処理の流れを説明する。図４は、実施例１に係る無線基地局Ａにおける処理の流れを示すフローチャートである。【００５２】
図４に示すように、移動体通信端末５００からハンドオーバ要求を受信すると（ステップＳ２０１肯定）、無線基地局Ａ３００は、当該ハンドオーバ要求を無線基地局Ｂ３２０に転送する（ステップＳ２０２）。【００５３】
その後、無線基地局Ｂ３２０からハンドオーバ応答を受信すると（ステップＳ２０３肯定）、無線基地局Ａ３００は、移動体通信端末５００とのデータ送受信を停止し、ＥＰＣ２００から移動体通信端末宛てに送信されたデータを無線基地局Ｂ３２０に転送する（ステップＳ２０４）。【００５４】
そして、有線経路の切り替え完了を示すパス切替要求を無線基地局Ｂ３２０から受信すると（ステップＳ２０５肯定）、無線基地局Ａ３００は、ＥＰＣ２００から移動体通信端末宛てに送信されたデータを無線基地局Ｂ３２０に転送することを停止する（ステップＳ２０６）。【００５５】
（無線基地局Ｂ３２０における処理の流れ）
次に、図５を用いて、実施例１に係る通信制御システムにおける無線基地局Ｂの処理の流れを説明する。図５は、実施例１に係る無線基地局Ｂにおける処理の流れを示すフローチャートである。【００５６】
図５に示すように、移動体通信端末５００から無線基地局Ａ３００を介してハンドオーバ要求を受信すると（ステップＳ３０１肯定）、無線基地局Ｂ３２０は、セルＣを介して移動体通信端末５００と無線通信を行う経路を確立し、当該経路が確立したことを示すハンドオーバ応答を無線基地局Ａ３００を介して移動体通信端末５００に送信する（ステップＳ３０２）。【００５７】
その後、移動体通信端末５００から無線基地局Ａ３００を介して、無線経路が接続されたことを示すハンドオーバ応答を受信した後に、所定の時間が経過すると（ステップＳ３０３肯定）、無線基地局Ｂ３２０は、ＥＰＣ２００に対してパス切替要求（有線経路切替要求）を送信する（ステップＳ３０４）。【００５８】
そして、パス（有線経路）が切り替わったことを示すパス切替応答をＥＰＣ２００から受信すると（ステップＳ３０５肯定）、無線基地局Ｂ３２０は、データ転送を停止する旨を示すパス切替要求を無線基地局Ａ３００に送信する（ステップＳ３０６）。これ以降、無線基地局Ｂ３２０は、移動体通信端末５００との間では無線経路でデータ送受信を行い、ＥＰＣ２００との間では有線経路でデータ送受信を行うことができ、無線経路と有線経路との両方が切り替わったこととなる。【００５９】
（ＥＰＣ２００における処理の流れ）
次に、図６を用いて、実施例１に係る通信制御システムにおけるＥＰＣの処理の流れを説明する。図６は、実施例１に係るＥＰＣにおける処理の流れを示すフローチャートである。【００６０】
図６に示すように、パス（有線経路）の切り替えを要求するパス切替要求を無線基地局Ｂ３２０から受信すると（ステップＳ４０１肯定）、ＥＰＣ２００は、無線基地局Ｂ３２０とのデータ経路を確立し、パスを切替えたことを示すパス切替応答を無線基地局Ｂ３２０に送信する（ステップＳ４０２）。【００６１】
つまり、ＥＰＣ２００は、無線基地局Ａ３００の管理下から無線基地局Ｂ３２０の管理下に移動体通信端末５００が移動し、無線基地局Ｂ３２０と移動体通信端末５００の間に無線経路が確立された場合であっても、パス（有線経路）の切り替えを要求するパス切替要求を無線基地局Ｂ３２０から受信するまで、移動体通信端末５００宛てのデータを無線基地局Ａ３００に対して送信する。そして、無線基地局Ｂ３２０と移動体通信端末５００の間に無線経路（無線接続）が安定されて、パス切替要求を無線基地局Ｂ３２０から受信すると、ＥＰＣ２００は、移動体通信端末５００宛てのデータを、当該移動体通信端末５００を管理下におく無線基地局Ｂ３２０に対して送信することとなる。【００６２】
［実施例１による効果］
このように、実施例１によれば、無線基地局Ａ３００を介した無線経路で無線通信を行っている移動体通信端末５００から、無線経路の切り替えを要求するハンドオーバ要求を受信した場合に、自装置を介した無線経路に切り替え、無線経路が切り替えられてから所定時間経過後に、移動体通信端末５００へのデータ送受信制御を行っている無線基地局Ａ３００を介した有線経路を、自装置を介した有線経路に切り替える要求をＥＰＣ２００に対して送信するので、ネットワークの輻輳を抑止することが可能であり、無線基地局間のデータ送受信制御を行うＥＰＣ２００の処理負荷を軽減することが可能である。【００６３】
具体的には、無線基地局Ｂ３２０は、セルＣと移動体通信端末５００との間に無線通信が確立されて所定の時間経過するまで、有線区間の切替要求をＥＰＣ２００に送信しないことで、確立されたセルＣと移動体通信端末５００との間に無線通信が安定するまで待機することになる。その結果、移動体通信端末５００がセルＢとセルＣとを頻繁に移動したとしても、無線基地局Ｂ３２０は、セルＣと移動体通信端末５００との通信が安定するまで、有線区間切替要求をＥＰＣ２００に対して無駄に送信することがない結果、ネットワークの輻輳を抑止することが可能であり、無線基地局間のデータ送受信制御を行うＥＰＣ２００の処理負荷を軽減することが可能である。
【実施例２】
【００６４】
ところで、実施例１では、セルＣと移動体通信端末５００との間に無線通信が確立されてから所定の時間経過後に、有線区間の切替要求をＥＰＣ２００に送信する場合ついて説明したが、本発明はこれに限定されるものではなく、セルＣと移動体通信端末５００との間に無線通信が確立されてから所定の時間経過後に、さらに、ＥＰＣ２００が管理するネットワークの輻輳状態を判定して、輻輳が判定していない場合にのみ、有線区間の切替要求をＥＰＣ２００に送信することもできる。【００６５】
つまり、実施例１では、無線基地局Ｂ３２０は、セルＣと移動体通信端末５００との間に無線通信が安定したことの担保として、無線通信確立から所定時間経過後に、有線区間の切替要求をＥＰＣ２００に送信していたが、セルＣと移動体通信端末５００との間に無線通信が安定したことの担保として、無線通信確立から所定時間経過後とネットワークの輻輳状態とを用いることもできる。【００６６】
そこで、実施例２では、図７を用いて、無線基地局Ｂ３２０は、セルＣと移動体通信端末５００との間に無線通信が確立されてから所定の時間経過後に、さらに、ＥＰＣ２００が管理するネットワークの輻輳状態を判定して、輻輳が判定していない場合にのみ、有線区間の切替要求をＥＰＣ２００に送信する例について説明する。図７は、実施例２に係る通信制御システムにおける処理の流れを示すシーケンス図である。【００６７】
図７に示すように、無線基地局Ｂ３２０の制御信号送受信部（有線向け）３２２は、ＥＰＣ２００からネットワーク輻輳情報を定期的に（例えば、１時間に１回など）受信する（ステップＳ５０１）。そして、制御信号送受信部（有線向け）３２２は、受信したネットワーク輻輳情報を呼制御部３２３に送信し（ステップＳ５０２）、呼制御部３２３は、受信したネットワーク輻輳情報をＥＰＣ情報ＤＢ３２９に格納する（ステップＳ５０３）。【００６８】
ここで、ネットワーク輻輳情報について具体的に説明する。呼制御部３２３は、図８に示すように、ＥＰＣ２００から受信した『ＥＰＣ２００のＣＰＵの稼働率を示す「ＣＰＵ使用率」、ＥＰＣ２００の輻輳状態を示す「輻輳情報」』などから構成されるネットワーク輻輳情報をＥＰＣ情報として、ＥＰＣ情報ＤＢ３２９に格納する。また、ＥＰＣ情報ＤＢ３２９は、図示しない複数のＥＰＣそれぞれに対応付けたＥＰＣ番号をインデックスとして、複数のＥＰＣそれぞれに対してＥＰＣ情報を記憶する。ここでは、ＥＰＣ情報ＤＢ３２９は、ＥＰＣ２００に対応した領域にＥＰＣ情報を記憶することとなる。なお、図８は、ＥＰＣ情報ＤＢに記憶される情報の例を示す図である。【００６９】
その後の移動体通信端末５００からハンドオーバ要求が無線基地局Ｂ３２０に送信されて、無線経路が切り替えられ、移動体通信端末５００がハンドオーバ完了通知を無線基地局Ｂ３２０に送信し、無線基地局Ｂ３２０の呼制御部３２３がパス切替判断要求をパス切替判断部３２８に送信するまでのステップＳ５０４〜ステップＳ５１５までの処理は、実施例１で説明したステップＳ１０１〜ステップＳ１１７までの処理と同様であるので、ここでは詳細な説明は省略する。【００７０】
そして、無線基地局Ｂ３２０の呼制御部３２３からパス切替判断要求を受信したパス切替判断部３２８は、図示しないタイマ制御部３２７に対してタイマ開始指示を送信し、パス切替要否判断処理を実施する（ステップＳ５１６）。ここでは、パス切替判断部３２８は、タイマ制御部３２７からタイマ終了通知を受信すると、ＥＰＣ情報ＤＢ３２９に格納されているＥＰＣ情報を読み出し、当該ＥＰＣ情報の輻輳情報により、輻輳が発生していないと判断した場合にのみ、パス切替可能と判断する（移動体通信端末５００との無線通信が安定したと判断する）。そして、パス切替可能と判断したパス切替判断部３２８は、パス切替要求を呼制御部３２３に出力する（ステップＳ５１７）。【００７１】
その後の無線基地局Ｂ３２０からＥＰＣ２００に対してパス切替要求が送信されて、ＥＰＣ２００において有線経路（パス）の切り替えが実行され、無線基地局Ｂ３２０から無線基地局Ａ３００に対してデータ転送を停止する旨のパス切替要求が送信されるステップＳ５１８〜ステップＳ５２４までの処理は、実施例１で説明したステップＳ１２０〜ステップＳ１２８までの処理と同様であるので、ここでは詳細な説明は省略する。【００７２】
このように、実施例２によれば、無線経路が切り替えられてから所定時間経過後に、保持されている輻輳状況に基づいて、ＥＰＣ２００が制御する有線経路に輻輳が発生していないと判断した場合に、自装置を介した有線経路に切り替える要求をＥＰＣ２００に対して送信するので、上位ノードの輻輳状況に応じたパス切替を実施することが可能となる。その結果、ハンドオーバに伴うパス切替による、上位ノード輻輳を抑止することが可能となる。
【実施例３】
【００７３】
ところで、実施例１では、セルＣと移動体通信端末５００との間に無線通信が確立されてから所定の時間経過後に、有線区間の切替要求をＥＰＣ２００に送信する場合ついて説明したが、本発明はこれに限定されるものではなく、移動体通信端末５００から送信されたハンドオーバ要求からハンドオーバ履歴を取得し、セルＣと移動体通信端末５００との間に無線通信が確立されてから所定の時間経過後に、さらに、取得したハンドオーバ履歴を判定して、有線区間の切替要求をＥＰＣ２００に送信することもできる。【００７４】
つまり、セルＣと移動体通信端末５００との間に無線通信が安定したことの担保として、無線通信確立から所定時間経過後と移動体通信端末５００のハンドオーバ履歴とを用いることもできる。【００７５】
そこで、実施例３では、図９を用いて、移動体通信端末５００から送信されたハンドオーバ要求からハンドオーバ履歴を取得し、セルＣと移動体通信端末５００との間に無線通信が確立されてから所定の時間経過後に、さらに、取得したハンドオーバ履歴を判定して、有線区間の切替要求をＥＰＣ２００に送信する例について説明する。図９は、実施例３に係る通信制御システムにおける処理の流れを示すシーケンス図である。なお、実施例３では、実施例１とは異なり、取得したハンドオーバ履歴を判定して、有線区間の切替要求をＥＰＣ２００に送信することを重点的に説明するため、実施例１と同様の処理については省略する。【００７６】
図９に示すように、移動体通信端末５００は、利用者の地理的移動などによって無線基地局Ｂ３２０のセルＣを利用する環境下に移動した場合にハンドオーバの契機が発生し（ステップＳ６０１）、自装置のハンドオーバ履歴を付加したハンドオーバ要求を無線基地局Ａ３００に送信する（ステップＳ６０２）。【００７７】
このハンドオーバ要求を受信した無線基地局Ａ３００の制御信号送受信部（無線向け）３０４は、呼制御部３０３にハンドオーバ要求を送信する（ステップＳ６０３）。すると、呼制御部３０３は、ハンドオーバ要求に付加されたハンドオーバ履歴を取得して移動端末情報ＤＢ３１０に格納して読み出すとともに（ステップＳ６０４）、制御信号送受信部（有線向け）３０２を介して、当該ハンドオーバ要求をＥＰＣ２００に送信する（ステップＳ６０５とステップＳ６０６）。【００７８】
そして、無線基地局Ａ３００からハンドオーバ要求を受信したＥＰＣ２００は、当該ハンドオーバ要求を無線基地局Ｂ３２０に出力する（ステップＳ６０７）。すると、無線基地局Ｂ３２０の呼制御部３２３は、ハンドオーバ要求に付加されたハンドオーバ履歴を取得して移動端末情報ＤＢ３３０に格納する（ステップＳ６０８）。さらに、呼制御部３２３は、ＥＰＣ３００に対して、ハンドオーバを許可する旨の応答としてハンドオーバ応答を送信し、ＥＰＣ２００は、当該ハンドオーバ応答を無線基地局Ａ３００に送信する（ステップＳ６０９とステップＳ６１０）。【００７９】
ここで、ハンドオーバ履歴について具体的に説明する。呼制御部３２３は、図１０に示すように、移動体通信端末５００から受信した『電話番号とは異なるＩＴＵ−Ｔ勧告Ｅ．２１２に準拠した移動体加入者識別番号を示す「ＩＭＳＩ」、電話番号とは異なる一時的に割り当てられた加入者識別番号を示す「ＴＭＳＩ」、ハンドオーバ実施時刻、ハンドオーバ先セル番号、ハンドオーバ元セル番号を示す「ハンドオーバ履歴」、ハンドオーバ実施時に端末より通知された移動速度を示す「移動速度」』などから構成されるハンドオーバ履歴として移動端末情報ＤＢ３３０に格納する。また、バッファメモリ３２１は、図示しない複数の移動体通信端末それぞれに対応付けた端末番号をインデックスとして、複数の移動体通信端末それぞれに対してハンドオーバ履歴を記憶する。ここでは、バッファメモリ３２１は、移動体通信端末５００に対応した領域に記憶することとなる。なお、無線基地局Ａ３００のバッファメモリ３０１にも同様の形式で同様の情報が記憶されることとなる。また、図１０は、移動端末情報ＤＢ３３０に記憶される情報の例を示す図である。【００８０】
続いて、無線基地局Ｂ３２０からハンドオーバ応答を受信した無線基地局Ａ３００の制御信号送受信部（有線向け）３０２は、当該応答を呼制御部３０３に出力する（ステップＳ６１１）。すると、呼制御部３０３は、格納したハンドオーバ履歴を削除するとともに（ステップＳ６１２）する。続いて、呼制御部３０３は、データ送受信部（無線向け）３０６に対してデータ送受信の停止を指示し、データ送受信部（有線向け）３０５に対して受信したデータを無線基地局Ｂ３２０に転送することを指示した後、制御信号送受信部（無線向け）３０４を介してハンドオーバ応答を移動体通信端末５００に送信する（ステップＳ６１３）。【００８１】
その後、無線基地局Ｂ３２０から無線基地局Ａ３００を介してハンドオーバ応答を受信した移動体通信端末５００は、無線基地局Ｂ３２０とのデータ経路を確立し、当該確立した経路を用いて、経路を切替えたことを示すハンドオーバ完了通知を無線基地局Ｂ３２０に送信する（ステップＳ６１４）。【００８２】
そして、ハンドオーバ完了通知を受信した無線基地局Ｂ３２０の制御信号送受信部（無線向け）３２４は、当該完了通知を呼制御部３２３に出力し（ステップＳ６１５）、呼制御部３２３は、パス切替判断部３２８に対してパス切替判断要求を送信する（ステップＳ６１６）。【００８３】
このパス切替判断要求を受信したパス切替判断部３２８は、図示しないタイマ制御部３２７に対してタイマ開始指示を送信し、パス切替要否判断処理を実施する（ステップＳ６１７）。ここでは、パス切替判断部３２８は、タイマ制御部３２７からタイマ終了通知を受信すると、バッファメモリ３２１に格納されているハンドオーバ履歴を読み出し、当該ハンドオーバ履歴により、移動体通信端末５００の無線通信が安定していると判断した場合にのみ、パス切替可能と判断する（移動体通信端末５００との無線通信が安定したと判断する）。そして、パス切替可能と判断したパス切替判断部３２８は、パス切替要求を呼制御部３２３に出力する（ステップＳ６１８）。【００８４】
ハンドオーバ履歴に基づく判定基準としては、例えば、１分間のハンドオーバ回数が３回以下であるなどのように、任意に指定して判定することができる。【００８５】
その後の無線基地局Ｂ３２０からＥＰＣ２００に対してパス切替要求が送信されて、ＥＰＣ２００において有線経路（パス）の切り替えが実行され、無線基地局Ｂ３２０から無線基地局Ａ３００に対してデータ転送を停止する旨のパス切替要求が送信されるステップＳ６１９以降の処理は、実施例１で説明したステップＳ１２０〜ステップＳ１２８までの処理と同様であるので、ここでは詳細な説明は省略する。【００８６】
このように、実施例３によれば、無線基地局Ａ３００を介した無線経路で無線通信を行っている移動体通信端末５００から、無線経路の切り替えを要求するハンドオーバ要求を受信した場合に、自装置を介した無線経路に切り替えるとともに、当該ハンドオーバ要求に付加されたハンドオーバ履歴を取得して移動端末情報ＤＢ３３０に格納し、無線経路が切り替えられてから所定時間経過後に、移動端末情報ＤＢ３３０に格納されているハンドオーバ履歴に基づいて、移動体通信端末５００の通信が安定していると判断した場合に、自装置である無線基地局Ｂ３２０を介した有線経路に切り替える要求をＥＰＣ２００に対して送信するので、セルの境界に端末が存在する場合などハンドオーバが連続して発生していることをハンドオーバ履歴により判断することが可能となり、ハンドオーバ実施状況をより正確に把握したパス切替が可能となる。
【実施例４】
【００８７】
ところで、実施例３では、セルＣと移動体通信端末５００との間に無線通信が確立されてから所定の時間経過後に、ハンドオーバ要求に付加されているハンドオーバ履歴に基づいて、有線区間の切替要求をＥＰＣ２００に送信する場合ついて説明したが、本発明はこれに限定されるものではなく、ハンドオーバ要求に付加されている移動速度に基づいて、有線区間の切替要求をＥＰＣ２００に送信することもできる。【００８８】
つまり、セルＣと移動体通信端末５００との間に無線通信が安定したことの担保として、無線通信確立から所定時間経過後と移動体通信端末５００の移動速度とを用いることもできる。【００８９】
そこで、実施例４では、図１１を用いて、移動体通信端末５００から送信されたハンドオーバ要求から移動速度を取得し、セルＣと移動体通信端末５００との間に無線通信が確立されてから所定の時間経過後に、さらに、取得した移動速度を判定して、有線区間の切替要求をＥＰＣ２００に送信する例について説明する。図１１は、実施例４に係る通信制御システムにおける処理の流れを示すシーケンス図である。なお、実施例４では、実施例１とは異なり、取得した移動速度を判定して、有線区間の切替要求をＥＰＣ２００に送信することを重点的に説明するため、実施例１や実施例３と同様の処理については省略する。【００９０】
図１１に示すように、移動体通信端末５００は、利用者の地理的移動などによって無線基地局Ｂ３２０のセルＣを利用する環境下に移動した場合にハンドオーバの契機が発生し（ステップＳ７０１）、自装置のハンドオーバ履歴（移動速度）を付加したハンドオーバ要求を無線基地局Ａ３００に送信する（ステップＳ７０２）。【００９１】
このハンドオーバ要求を受信した無線基地局Ａ３００の制御信号送受信部（無線向け）３０４は、呼制御部３０３にハンドオーバ要求を送信し、呼制御部３０３は、ハンドオーバ要求に付加されたハンドオーバ履歴（移動速度）を取得して移動端末情報ＤＢ３１０に格納する（ステップＳ７０３）。【００９２】
続いて、呼制御部３０３は、格納された移動速度を取得し（ステップＳ７０４）、制御信号送受信部（有線向け）３０２を介して、取得した移動速度を付加したハンドオーバ要求をＥＰＣ２００に送信する（ステップＳ７０５とステップＳ７０６）。【００９３】
そして、無線基地局Ａ３００からハンドオーバ要求を受信したＥＰＣ２００は、当該ハンドオーバ要求を無線基地局Ｂ３２０に出力する（ステップＳ７０７）。すると、無線基地局Ｂ３２０の呼制御部３２３は、ハンドオーバ要求に付加されたハンドオーバ履歴（移動速度）を取得して移動端末情報ＤＢ３３０に格納する（ステップＳ７０８）。さらに、呼制御部３２３は、ＥＰＣ３００に対して、ハンドオーバを許可する旨の応答としてハンドオーバ応答を送信し、ＥＰＣ２００は、当該ハンドオーバ応答を無線基地局Ａ３００に送信する（ステップＳ７０９とステップＳ７１０）。【００９４】
続いて、無線基地局Ｂ３２０からハンドオーバ応答を受信した無線基地局Ａ３００の制御信号送受信部（有線向け）３０２は、当該応答を呼制御部３０３に出力する（ステップＳ７１１）。すると、呼制御部３０３は、格納したハンドオーバ履歴を削除する（ステップＳ７１２）。続いて、呼制御部３０３は、データ送受信部（無線向け）３０６に対してデータ送受信の停止を指示し、データ送受信部（有線向け）３０５に対して受信したデータを無線基地局Ｂ３２０に転送することを指示した後、制御信号送受信部（無線向け）３０４を介して、ハンドオーバ応答を移動体通信端末５００に送信する（ステップＳ７１３）。【００９５】
その後、無線基地局Ｂ３２０から無線基地局Ａ３００を介してハンドオーバ応答を受信した移動体通信端末５００は、無線基地局Ｂ３２０とのデータ経路を確立し、当該確立した経路を用いて、経路を切替えたことを示すハンドオーバ完了通知を無線基地局Ｂ３２０に送信する（ステップＳ７１４）。【００９６】
そして、ハンドオーバ完了通知を受信した無線基地局Ｂ３２０の制御信号送受信部（無線向け）３２４は、当該完了通知を呼制御部３２３に出力し（ステップＳ７１５）、呼制御部３２３は、パス切替判断部３２８に対してパス切替判断要求を送信する（ステップＳ７１６）。【００９７】
このパス切替判断要求を受信したパス切替判断部３２８は、図示しないタイマ制御部３２７に対してタイマ開始指示を送信し、パス切替要否判断処理を実施する（ステップＳ７１７）。ここでは、パス切替判断部３２８は、タイマ制御部３２７からタイマ終了通知を受信すると、移動端末情報ＤＢ３３０に格納されているハンドオーバ履歴の移動速度（図１０参照）を読み出し、当該移動速度により、移動体通信端末５００の移動速度が安定していると判断した場合にのみ、パス切替可能と判断する（移動体通信端末５００との無線通信が安定したと判断する）。そして、パス切替可能と判断したパス切替判断部３２８は、パス切替要求を呼制御部３２３に出力する（ステップＳ７１８）。【００９８】
移動速度に基づく判定基準としては、例えば、移動速度が時速３０Ｋｍ以下である場合には、パス切替可能と判断するなどのように、任意に指定して判定することができる。【００９９】
その後の無線基地局Ｂ３２０からＥＰＣ２００に対してパス切替要求が送信されて、ＥＰＣ２００において有線経路（パス）の切り替えが実行され、無線基地局Ｂ３２０から無線基地局Ａ３００に対してデータ転送を停止する旨のパス切替要求が送信されるステップＳ７１９以降の処理は、実施例１で説明したステップＳ１２０〜ステップＳ１２８までの処理と同様であるので、ここでは詳細な説明は省略する。【０１００】
このように、実施例４によれば、無線基地局Ａ３００を介した無線経路で無線通信を行っている移動体通信端末５００から、無線経路の切り替えを要求するハンドオーバ要求を受信した場合に、自装置を介した無線経路に切り替えるとともに、当該ハンドオーバ要求に付加された速度情報を取得してバッファメモリ３２１に格納し、無線経路が切り替えられてから所定時間経過後に、バッファメモリ３２１に格納されている速度情報が所定の速度以下である場合に、自装置である無線基地局Ｂ３２０を介した有線経路に切り替える要求をＥＰＣ２００に対して送信するので、移動体通信端末５００の移動速度に応じたパス切替を行うことが可能となり、移動体通信端末５００が高速で移動している場合には、異なるセルへのハンドオーバが連続して発生する可能性があることを予測することが可能となり、ハンドオーバ実施状況をより正確に把握したパス切替が可能となる。
【実施例５】
【０１０１】
ところで、本発明では、無線基地局Ｂ３２０がパス切替要求をＥＰＣ２００に送信し、ＥＰＣ２００にてパス切替が失敗した場合であっても、タイマを再度起動してパス切替のリトライをすることができる。【０１０２】
そこで、実施例５では、図１２を用いて、無線基地局Ｂ３２０がパス切替要求をＥＰＣ２００に送信し、ＥＰＣ２００にてパス切替が失敗した場合であっても、タイマを再度起動してパス切替のリトライをする例について説明する。図１２は、実施例５に係る通信制御システムにおける処理の流れを示すシーケンス図である。なお、実施例５では、無線基地局Ｂ３２０がパス切替要求をＥＰＣ２００に送信し、ＥＰＣ２００にてパス切替が失敗した場合であっても、タイマを再度起動してパス切替のリトライをすることを重点的に説明するため、実施例１〜実施例４と同様の処理については省略する。【０１０３】
図１２に示すように、移動体通信端末５００からハンドオーバ要求が送信されて、無線基地局Ｂ３２０で有線経路のパス切替判断が実施され、有線経路のパス切替要求がＥＰＣ２００に送信されるまでのステップＳ８０１〜ステップＳ８１６までの処理は、実施例１で説明したステップＳ１０１〜ステップＳ１２１までの処理と同様であるので、ここでは詳細な説明は省略する。【０１０４】
その後、パス切替要求を受信したＥＰＣ２００は、ネットワーク輻輳やネットワーク障害などにより、有線経路の切り替えが失敗すると（ステップＳ８１７）、パス切替失敗応答を無線基地局Ｂ３２０に送信する（ステップＳ８１８）。【０１０５】
このパス切替失敗応答を受信した無線基地局Ｂ３２０の制御信号送受信部（有線向け）３２２は、当該応答を呼制御部３２３を介してパス切替判断部３２８に送信する（ステップＳ８１９とステップＳ８２０）。そして、パス切替判断部３２８は、このパス切替失敗応答を受信したことにより、タイマ制御部３２７に対して、再度タイマ起動を指示する（ステップＳ８２１）。【０１０６】
その後、タイマ制御部３２７からタイマ完了（タイムアウト）の通知を受けたパス切替判断部３２８は、パス切替要求を呼制御部３２３に出力し（ステップＳ８２２とステップＳ８２３）、呼制御部３２３は、当該パス切替要求を制御信号送受信部（有線向け）３２２を介して、ＥＰＣ２００に送信する（ステップＳ８２４とステップＳ８２５）。【０１０７】
そして、ステップＳ８２６のパス切替が実施される処理は、実施例１で説明したステップＳ１２２〜ステップＳ１２８の処理と同様であるので、ここでは詳細な説明は省略する。【０１０８】
このように、実施例５によれば、自装置である無線基地局Ｂ３２０を介した有線経路に切り替える要求をＥＰＣ２００に対して送信し、ＥＰＣ２００から有線経路切り替えが失敗したことを示す切替失敗応答を受信した場合に、当該切り替える前の有線経路を用いて移動体通信端末５００と通信を行うので、切替え前に確立したパスを使用し、ハンドオーバ先セルでの通信を継続することが可能となる。【０１０９】
また、実施例５によれば、自装置である無線基地局Ｂ３２０を介した有線経路に切り替える要求をＥＰＣ２００に対して送信し、ＥＰＣ２００から有線経路切り替えが失敗したことを示す切替失敗応答を受信した場合に、当該切り替える前の有線経路を用いて移動体通信端末５００と通信を行う一方で、さらに所定時間経過後に、自装置である無線基地局Ｂ３２０を介した有線経路に切り替える要求をＥＰＣ２００に対して送信するので、パス切替が失敗した場合でも、切替え前に確立したパスを使用し、ハンドオーバ先セルでの通信を継続することが可能となる。さらに、ハンドオーバ先での通信を継続しつつ、一定周期後のパス切替実施を実施することが可能となる。
【実施例６】
【０１１０】
さて、これまで本発明の実施例について説明したが、本発明は上述した実施例以外にも、種々の異なる形態にて実施されてよいものである。そこで、以下に示すように、（１）装置接続構成、（２）有線経路切替失敗時の対応、（３）システム構成等、（４）プログラムにそれぞれ区分けして異なる実施例を説明する。【０１１１】
（１）装置接続構成
上記した実施例１〜５では、ＥＰＣ２００と無線基地局Ａ３００と無線基地局Ｂ３２０と移動体通信端末５００とから構成される通信制御システムについて説明したが、本発明はこれに限定されるものではなく、複数の移動体通信端末が接続されていてもよく、また、複数の無線基地局が接続されていてもよく、他の無線基地局同士の接続を制御する他の複数のＥＰＣが接続されていてもよい。また、無線基地局Ａ３００と無線基地局Ｂ３２０とにそれぞれ収容されているセルの数も限定するものではく、それぞれ他の複数のセルを収容してもよい。【０１１２】
（２）有線経路切替失敗時の対応
また、実施例５では、ＥＰＣ２００において、有線経路の切り替えが失敗した場合に、無線基地局Ｂ３２０は、切替をリトライする例について説明したが、本発明はこれに限定されるものではなく、有線経路の切り替えが失敗した場合に様々な手法を実施することができる。例えば、無線基地局Ｂ３２０は、有線経路の切り替えが失敗した場合に、リトライを行わず、既に確立されているＥＰＣ２００〜無線基地局Ａ３００の有線経路（パス）を利用して、移動体通信端末５００と通信を行うようにしてもよい。そうすることにより、有線経路の切り替えが成功しなくても、遮断することなく通信を行うことが可能である。【０１１３】
（３）システム構成等
また、本実施例において説明した各処理のうち、自動的におこなわれるものとして説明した処理（例えば、パス切替実施処理やタイマ処理など）の全部または一部を手動的におこなうこともできる。この他、上記文書中や図面中で示した処理手順、制御手順、具体的名称、各種のデータやパラメータを含む情報（例えば、図８や図１０など）については、特記する場合を除いて任意に変更することができる。【０１１４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合（例えば、呼制御部とパス切替判断部とを統合するなど）して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。【０１１５】
（４）プログラム
ところで、上記の実施例で説明した各種の処理は、あらかじめ用意されたプログラムをパーソナルコンピュータやワークステーションなどのコンピュータシステムで実行することによって実現することができる。そこで、以下では、上記の実施例と同様の機能を有するプログラムを実行するコンピュータシステムを他の実施例として説明する。【０１１６】
図１３は、通信制御制御プログラムを実行するコンピュータシステムの例を示す図である。図１３に示すように、コンピュータシステム６００は、ＲＡＭ６０１と、ＨＤＤ６０２と、ＲＯＭ６０３と、ＣＰＵ６０４とから構成される。ここで、ＲＯＭ６０３には、上記の実施例と同様の機能を発揮するプログラム、つまり、図１３に示すように、無線経路切替プログラム６０３ａと、有線経路切替要求送信プログラム６０３ｂとがあらかじめ記憶されている。【０１１７】
そして、ＣＰＵ６０４には、これらのプログラム６０３ａと６０３ｂとを読み出して実行することで、図１３に示すように、無線経路切替プロセス６０４ａと、有線経路切替要求送信プロセス６０４ｂとなる。なお、無線経路切替プロセス６０４ａは、図１に示した、呼制御部３２３に対応し、同様に、有線経路切替要求送信プロセス６０４ｂは、呼制御部３２３とパス切替判断部３２８とに対応する。【０１１８】
また、ＨＤＤ６０２は、移動体通信端末５００やＥＰＣ２００から受信した制御信号などを記憶し、さらに、移動体通信端末５００から受信したハンドオーバ履歴やＥＰＣ２００から受信したネットワーク輻輳情報（ＥＰＣ情報）などを記憶する。【０１１９】
ところで、上記したプログラム６０３ａと６０３ｂは、必ずしもＲＯＭ６０３に記憶させておく必要はなく、例えば、コンピュータシステム６００に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステム６００の内外に備えられるハードディスクドライブ（ＨＤＤ）などの「固定用の物理媒体」、さらに、公衆回線、インターネット、ＬＡＮ、ＷＡＮなどを介してコンピュータシステム６００に接続される「他のコンピュータシステム」に記憶させておき、コンピュータシステム６００がこれらからプログラムを読み出して実行するようにしてもよい。
【図１】
2009122523.tif 000003
【図２】
2009122523.tif 000004
【図３−１】
2009122523.tif 000005
【図３−２】
2009122523.tif 000006
【図３−３】
2009122523.tif 000007
【図４】
2009122523.tif 000008
【図５】
2009122523.tif 000009
【図６】
2009122523.tif 000010
【図７】
2009122523.tif 000011
【図８】
2009122523.tif 000012
【図９】
2009122523.tif 000013
【図１０】
2009122523.tif 000014
【図１１】
2009122523.tif 000015
【図１２】
2009122523.tif 000016
【図１３】
2009122523.tif 000017
【図１４−１】
2009122523.tif 000018
【図１４−２】
2009122523.tif 000019
【図１４−３】
2009122523.tif 000020
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
移動体通信端末における無線通信を制御する通信制御装置と、当該通信制御装置と他の通信制御装置との間における経路制御およびデータ送受信制御を有線通信にて実施する管理装置とから構成される無線通信制御システムにおける前記通信制御装置であって、
他の通信制御装置を介した無線経路で無線通信を行っている移動体通信端末から、前記無線経路の切り替えを要求するハンドオーバ要求を受信した場合に、自装置を介した無線経路に切り替える無線経路切替手段と、
前記無線経路切替手段により無線経路が切り替えられてから所定時間経過後に、前記移動体通信端末へのデータ送受信制御を行っている前記他の通信制御装置を介した有線経路を、自装置を介した有線経路に切り替える要求を前記管理装置に対して送信する有線切替要求送信手段と、
を備えたことを特徴とする通信制御装置。
【請求項２】
前記管理装置が制御する有線経路の輻輳状況を前記管理装置から受け付けて保持する輻輳状況保持手段をさらに備え、
前記有線切替要求送信手段は、前記無線経路切替手段により無線経路が切り替えられてから所定時間経過後に、前記輻輳状況保持手段に保持されている輻輳状況に基づいて、前記管理装置が制御する有線経路に輻輳が発生していないと判断した場合に、前記自装置を介した有線経路に切り替える要求を前記管理装置に対して送信することを特徴とする請求項１に記載の通信制御装置。
【請求項３】
前記移動体通信端末は、過去に実施した無線経路の切り替えの履歴情報を示すハンドオーバ履歴を付加したハンドオーバ要求を送信するものであって、
前記無線経路切替手段は、前記他の通信制御装置を介した無線経路で無線通信を行っている移動体通信端末から、前記無線経路の切り替えを要求するハンドオーバ要求を受信した場合に、自装置を介した無線経路に切り替えるとともに、当該ハンドオーバ要求に付加されたハンドオーバ履歴を取得して所定の記憶部に格納し、
前記有線切替要求送信手段は、前記無線経路切替手段により無線経路が切り替えられてから所定時間経過後に、前記無線経路切替手段により取得されて所定の記憶部に格納されているハンドオーバ履歴に基づいて、前記移動体通信端末の通信が安定していると判断した場合に、前記自装置を介した有線経路に切り替える要求を前記管理装置に対して送信することを特徴とする請求項１に記載の通信制御装置。
【請求項４】
前記移動体通信端末は、過去に実施した無線経路の切り替えタイミングの移動速度を示す速度情報を付加したハンドオーバ要求を送信するものであって、
前記無線経路切替手段は、前記他の通信制御装置を介した無線経路で無線通信を行っている移動体通信端末から、前記無線経路の切り替えを要求するハンドオーバ要求を受信した場合に、自装置を介した無線経路に切り替えるとともに、当該ハンドオーバ要求に付加された速度情報を取得して所定の記憶部に格納し、
前記有線切替要求送信手段は、前記無線経路切替手段により無線経路が切り替えられてから所定時間経過後に、前記無線経路切替手段により取得されて所定の記憶部に格納されている速度情報が所定の速度以下である場合に、前記自装置を介した有線経路に切り替える要求を前記管理装置に対して送信することを特徴とする請求項１に記載の通信制御装置。
【請求項５】
前記有線切替要求送信手段は、前記自装置を介した有線経路に切り替える要求を前記管理装置に対して送信し、前記管理装置から有線経路切り替えが失敗したことを示す切替失敗応答を受信した場合に、当該切り替える前の有線経路を用いて前記移動体通信端末と通信を行うことを特徴とする請求項１に記載の通信制御装置。
【請求項６】
前記有線切替要求送信手段は、前記自装置を介した有線経路に切り替える要求を前記管理装置に対して送信し、前記管理装置から有線経路切り替えが失敗したことを示す切替失敗応答を受信した場合に、当該切り替える前の有線経路を用いて前記移動体通信端末と通信を行う一方で、さらに所定時間経過後に、自装置を介した有線経路に切り替える要求を前記管理装置に対して送信することを特徴とする請求項１に記載の通信制御装置。
【請求項７】
移動体通信端末における無線通信を制御する通信制御装置と、当該通信制御装置と他の通信制御装置との間における経路制御およびデータ送受信制御を有線通信にて実施する管理装置とから構成される無線通信制御システムにおける前記通信制御装置に適する通信制御方法であって、
他の通信制御装置を介した無線経路で無線通信を行っている移動体通信端末から、前記無線経路の切り替えを要求するハンドオーバ要求を受信した場合に、自装置を介した無線経路に切り替える無線経路切替工程と、
前記無線経路切替工程により無線経路が切り替えられてから所定時間経過後に、前記移動体通信端末へのデータ送受信制御を行っている前記他の通信制御装置を介した有線経路を、自装置を介した有線経路に切り替える要求を前記管理装置に対して送信する有線切替要求送信工程と、
を含んだことを特徴とする通信制御方法。
【請求項８】
前記管理装置が制御する有線経路の輻輳状況を前記管理装置から受け付けて保持する輻輳状況保持工程をさらに備え、
前記有線切替要求送信工程は、前記無線経路切替工程により無線経路が切り替えられてから所定時間経過後に、前記輻輳状況保持工程に保持されている輻輳状況に基づいて、前記管理装置が制御する有線経路に輻輳が発生していないと判断した場合に、前記自装置を介した有線経路に切り替える要求を前記管理装置に対して送信することを特徴とする請求項７に記載の通信制御方法。
【請求項９】
前記移動体通信端末は、過去に実施した無線経路の切り替えの履歴情報を示すハンドオーバ履歴を付加したハンドオーバ要求を送信するものであって、
前記無線経路切替工程は、前記他の通信制御装置を介した無線経路で無線通信を行っている移動体通信端末から、前記無線経路の切り替えを要求するハンドオーバ要求を受信した場合に、自装置を介した無線経路に切り替えるとともに、当該ハンドオーバ要求に付加されたハンドオーバ履歴を取得して所定の記憶部に格納し、
前記有線切替要求送信工程は、前記無線経路切替工程により無線経路が切り替えられてから所定時間経過後に、前記無線経路切替工程により取得されて所定の記憶部に格納されているハンドオーバ履歴に基づいて、前記移動体通信端末の通信が安定していると判断した場合に、前記自装置を介した有線経路に切り替える要求を前記管理装置に対して送信することを特徴とする請求項７に記載の通信制御方法。
【請求項１０】
前記移動体通信端末は、過去に実施した無線経路の切り替えタイミングの移動速度を示す速度情報を付加したハンドオーバ要求を送信するものであって、
前記無線経路切替工程は、前記他の通信制御装置を介した無線経路で無線通信を行っている移動体通信端末から、前記無線経路の切り替えを要求するハンドオーバ要求を受信した場合に、自装置を介した無線経路に切り替えるとともに、当該ハンドオーバ要求に付加された速度情報を取得して所定の記憶部に格納し、
前記有線切替要求送信工程は、前記無線経路切替工程により無線経路が切り替えられてから所定時間経過後に、前記無線経路切替工程により取得されて所定の記憶部に格納されている速度情報が所定の速度以上である場合に、前記自装置を介した有線経路に切り替える要求を前記管理装置に対して送信することを特徴とする請求項７に記載の通信制御方法。
【請求項１１】
前記有線切替要求送信工程は、前記自装置を介した有線経路に切り替える要求を前記管理装置に対して送信し、前記管理装置から有線経路切り替えが失敗したことを示す切替失敗応答を受信した場合に、当該切り替える前の有線経路を用いて前記移動体通信端末と通信を行うことを特徴とする請求項７に記載の通信制御方法。
【請求項１２】
前記有線切替要求送信工程は、前記自装置を介した有線経路に切り替える要求を前記管理装置に対して送信し、前記管理装置から有線経路切り替えが失敗したことを示す切替失敗応答を受信した場合に、当該切り替える前の有線経路を用いて前記移動体通信端末と通信を行う一方で、さらに所定時間経過後に、自装置を介した有線経路に切り替える要求を前記管理装置に対して送信することを特徴とする請求項７に記載の通信制御方法。
【手続補正２】
【補正対象書類名】明細書
【補正対象項目名】全文
【補正方法】変更
【補正の内容】
【発明の詳細な説明】
【技術分野】
【０００１】
この発明は、移動体通信端末における無線通信を制御する通信制御装置と、当該通信制御装置と他の通信制御装置との間における経路制御およびデータ送受信制御を有線通信にて実施する管理装置とから構成される無線通信制御システムにおける通信制御装置および通信制御方法に関する。
【背景技術】
【０００２】
従来より、第３世代（３Ｇ）移動体通信から第４世代（４Ｇ）移動体通信への移行を段階的に進めるために高速移動体通信の規格として、ＬＴＥ（Long  Term  Evolution：スーパー３Ｇ）の開発が行われている。このＬＴＥは、ＩＭＴ−２０００発展系であると位置付けながら、４Ｇへの移行をスムーズに行うために、無線インターフェースやＲＡＮ（Radio  Access  Controller）アーキテクチャを３Ｇシステムから抜本的に見直している。その結果、遅延時間の圧縮や通信速度の向上などによって、下り最大３００Ｍビット／秒、上り最大５０Ｍビット／秒のデータ通信速度を実現する。
【０００３】
このＬＴＥでは、現在の３Ｇから無線アクセスシステムのノードの変更がある。具体的には、複数の基地局を集中的に管理するために、従来の３Ｇでは設置されていたＲＮＣ（Radio  Network  Controller）が省かれて、基地局のみで分散制御を行う１ノードに簡略化され、ＲＮＣが備えていた機能の殆どは無線基地局へ再配置される。
【０００４】
また、ＬＴＥでは、現在の３Ｇと異なり、通信中に確立されるリンクの数は１リンクのみとなる。このため、セルをまたがる移動（ハンドーオーバ）が行われる場合は、一旦、移動元のセルとの接続を切断し、移動先のセルと接続を確立する必要があり、また、基地局跨りのハンドオーバの場合は、上記に加えて上位ノード（ＥＰＣ）とのパスの切替処理を実施する必要がある（特許文献１参照）。
【０００５】
ここで、移動体通信端末が基地局を跨って移動した場合に、リンクを確立する例を具体的に説明する。図１４−１に示すように、この通信システムは、電波を管理する範囲を示すセルＡとセルＢとを有線にて収容する無線基地局であるＳｅＮＢと、同様にセルＣを有線にて収容するＴｅＮＢと、ＳｅＮＢとＴｅＮＢとを有線にて収容するＥＰＣとの基地局間の通信制御（データ送受信や接続などの制御）を行うＥＰＣと、セルＢを利用して無線通信を行う移動体通信端末とから構成されている。
【０００６】
このような構成において、図１４−２に示すように、移動体通信端末がセルＣを利用する環境下に移動した場合に、移動体通信端末は、移動前から利用しているセルＢを介してＳｅＮＢにハンドオーバ要求を送信し、ハンドオーバ要求を受信したＳｅＮＢは、セルＣを収容するＴｅＮＢとの間にセッションを確立し、ＥＰＣから移動体通信端末宛に送信されたデータをＴｅＮＢに転送する。その後、図１４−３に示すように、セルＣと移動体通信端末との接続が確立されると、ＴｅＮＢは、ＳｅＮＢから受信して蓄積していた移動体通信端末宛のデータをセルＣを介して移動体通信端末に送信し、ＥＰＣは、ＳｅＮＢからＴｅＮＢにパス切替を実行する。つまり、移動体通信端末が無線基地局間を跨って移動した場合、移動体通信端末との無線区間の切替が実施された後に、ＥＰＣと無線基地局間の有線区間の切替が実施される。
【先行技術文献】
【特許文献】
【０００７】
【特許文献１】特開２００６−１５７５２８号公報
【発明の概要】
【発明が解決しようとする課題】
【０００８】
しかしながら、上記した従来の技術では、パスの切替処理を行うノード間のメッセージをハンドオーバの度に送信する必要があるため、ネットワークの輻輳を引き起こしてしまうという課題と、無線基地局間のデータ送受信制御を行う管理装置に対してハンドオーバの度にパスの切替要求を行うため、管理装置の処理負荷を上げてしまうという課題があった。
【０００９】
上記した例で具体的に説明すると、移動体通信端末が、各無線基地局に収容されるセルとの接続を確立する前に、無線基地局であるＳｅＮＢとＴｅＮＢとの間を頻繁に移動した場合、ＥＰＣ（管理装置）から移動体通信端末宛に送信されたデータは、移動体通信端末までに送信されずに、ＳｅＮＢとＴｅＮＢとのそれぞれに一時的に蓄積され続けることとなる。その結果、ＳｅＮＢとＴｅＮＢとのそれぞれは、当該移動体通信端末以外の他の移動体通信端末から送信されるデータの処理に遅延が発生し、ネットワーク全体が繋がりにくくなるなどの事象が発生する。また、ＥＰＣは、ハンドオーバが起こるごとに、ＳｅＮＢとＴｅＮＢとからハンドオーバ要求を受信してパス切替処理を実施することになり、処理負荷が高くなる。
【００１０】
さらに、多数の移動体通信端末が同時にハンドオーバを行うような場合は、より顕著に現れることになり、ＬＴＥにおいては、現状３Ｇに比べてノード（無線基地局）跨りハンドオーバ（ＲＮＣ跨りハンドオーバ、ＬＴＥでいう無線基地局跨りハンドオーバ）の発生率が高くなる為、上記の課題が顕著になって現れてくる。
【００１１】
そこで、この発明は、上述した従来技術の課題を解決するためになされたものであり、無線基地局としての通信制御装置を跨ったハンドオーバを行った場合でも、ネットワークの輻輳を抑止することが可能であり、無線基地局間のデータ送受信制御を行う管理装置の処理負荷を軽減することが可能である通信制御装置および通信制御方法を提供することを目的とする。
【課題を解決するための手段】
【００１２】
上述した課題を解決し、本装置は、移動体通信端末における無線通信を制御する通信制御装置と、当該通信制御装置と他の通信制御装置との間における経路制御およびデータ送受信制御を有線通信にて実施する管理装置とから構成される無線通信制御システムにおける通信制御装置であって、他の通信制御装置を介した無線経路で無線通信を行っている移動体通信端末から、前記無線経路の切り替えを要求するハンドオーバ要求を受信した場合に、自装置を介した無線経路に切り替える無線経路切替手段と、前記無線経路切替手段により無線経路が切り替えられてから所定時間経過後に、前記移動体通信端末へのデータ送受信制御を行っている前記他の通信制御装置を介した有線経路を、自装置を介した有線経路に切り替える要求を管理装置に対して送信する有線切替要求送信手段と、を備えたことを特徴とする。
【発明の効果】
【００１３】
本発明によれば、他の通信制御装置を介した無線経路で無線通信を行っている移動体通信端末から、前記無線経路の切り替えを要求するハンドオーバ要求を受信した場合に、自装置を介した無線経路に切り替え、無線経路が切り替えられてから所定時間経過後に、移動体通信端末へのデータ送受信制御を行っている他の通信制御装置を介した有線経路を、自装置を介した有線経路に切り替える要求を管理装置に対して送信するので、無線基地局としての通信制御装置を跨ったハンドオーバを行った場合でも、ネットワークの輻輳を抑止することが可能であり、無線基地局間のデータ送受信制御を行う管理装置の処理負荷を軽減することが可能である。
【図面の簡単な説明】
【００１４】
【図１】図１は、実施例１に係る通信制御システムの構成を示すブロック図である。
【図２】図２は、実施例１に係る通信制御システムによる処理の流れを示すシーケンス図である。
【図３−１】図３−１は、シーケンスにおける状態１を示す図である。
【図３−２】図３−２は、シーケンスにおける状態２を示す図である。
【図３−３】図３−３は、シーケンスにおける状態３を示す図である。
【図４】図４は、実施例１に係る無線基地局Ａにおける処理の流れを示すフローチャートである。
【図５】図５は、実施例１に係る無線基地局Ｂにおける処理の流れを示すフローチャートである。
【図６】図６は、実施例１に係るＥＰＣにおける処理の流れを示すフローチャートである。
【図７】図７は、実施例２に係る通信制御システムにおける処理の流れを示すシーケンス図である。
【図８】図８は、ＥＰＣ情報ＤＢに記憶される情報の例を示す図である。
【図９】図９は、実施例３に係る通信制御システムにおける処理の流れを示すシーケンス図である。
【図１０】図１０は、移動端末情報ＤＢ３３０に記憶される情報の例を示す図である。
【図１１】図１１は、実施例４に係る通信制御システムにおける処理の流れを示すシーケンス図である。
【図１２】図１２は、実施例５に係る通信制御システムにおける処理の流れを示すシーケンス図である。
【図１３】図１３は、通信制御制御プログラムを実行するコンピュータシステムの例を示す図である。
【図１４−１】図１４−１は、従来技術を説明するための図である。
【図１４−２】図１４−２は、従来技術を説明するための図である。
【図１４−３】図１４−３は、従来技術を説明するための図である。
【発明を実施するための形態】
【００１５】
以下に添付図面を参照して、この発明に係る通信制御装置および通信制御方法の実施例を詳細に説明する。なお、以下では、本実施例に係る通信制御装置の概要および特徴、通信制御装置の構成および処理の流れを順に説明し、最後に本実施例に対する種々の変形例を説明する。
【実施例１】
【００１６】
［通信制御装置（無線基地局）の概要および特徴］
まず最初に、実施例１に係る通信制御装置の概要および特徴を説明する。実施例１に係る通信制御装置を含む通信制御システムは、移動体通信端末（特許請求の範囲に記載の「移動体通信端末」に対応する）における無線通信を制御する無線基地局Ａ（特許請求の範囲に記載の「他の通信制御装置」に対応する）と無線基地局Ｂ（特許請求の範囲に記載の「通信制御装置」に対応する）と、当該無線基地局Ａと無線基地局Ｂとの間における経路制御およびデータ送受信制御を有線通信にて実施するＥＰＣ（特許請求の範囲に記載の「管理装置」に対応する）とから構成される。なお、本実施例では、ＥＰＣが１台の場合を例にして説明するが、複数のＥＰＣが接続されていてもよい。
【００１７】
この無線基地局Ａは、電波を管理する範囲を区分したセルＡとセルＢとを備え、無線基地局Ｂは、同様にセルＣを備える。なお、本実施例では、無線基地局ＡのセルＢを介して無線通信を行っている移動体通信端末が、利用者の地理的移動などによって無線基地局ＢのセルＣを利用する環境下に移動した場合について説明する。そのため、無線基地局Ａが特許請求の範囲に記載の「他の通信制御装置」に対応し、無線基地局Ｂが特許請求の範囲に記載の「通信制御装置」に対応することとなるが、本発明はこれに限定されるものではなく、無線基地局Ａが特許請求の範囲に記載の「通信制御装置」に対応し、無線基地局Ｂが特許請求の範囲に記載の「他の通信制御装置」に対応する場合もある。つまり、移動体通信端末が移動する前に利用しているセルを収容している無線基地局が「他の通信制御装置」に対応し、移動体通信端末が移動した先で利用するセルを収容している無線基地局が「通信制御装置」に対応することとなる。
【００１８】
このような構成において、実施例１に係る通信制御装置である無線基地局Ｂは、ネットワークの輻輳を抑止することが可能であり、無線基地局間のデータ送受信制御を行う管理装置の処理負荷を軽減することが可能であることに主たる特徴がある。
【００１９】
上記した例で具体的に説明すると、無線基地局ＡのセルＢを介して無線通信を行っている移動体通信端末が、利用者の地理的移動などによって無線基地局ＢのセルＣを利用する環境下に移動した場合、セルＣと移動体通信端末との間に無線通信が確立される。そして、無線基地局Ｂは、セルＣと移動体通信端末との間に無線通信が確立されて所定の時間経過後に、ＥＰＣに対して有線区間の切り替えを要求し、この要求を受信したＥＰＣは、移動体通信端末宛てに送信するデータの送信経路として、ＥＰＣから無線基地局Ａの有線区間をＥＰＣから無線基地局Ｂの有線区間に切替える。
【００２０】
つまり、無線基地局Ｂは、セルＣと移動体通信端末との間に無線通信が確立されて所定の時間経過するまで、有線区間の切替要求をＥＰＣに送信しないことで、確立されたセルＣと移動体通信端末との間に無線通信が安定するまで待機することになる。その結果、移動体通信端末がセルＢとセルＣとを頻繁に移動したとしても、無線基地局Ｂは、セルＣと移動体通信端末との通信が安定するまで、有線区間切替要求をＥＰＣに対して無駄に送信することがない結果、ネットワークの輻輳を抑止することが可能であり、無線基地局間のデータ送受信制御を行うＥＰＣの処理負荷を軽減することが可能である。
【００２１】
［通信制御装置（無線基地局）の構成］
次に、図１を用いて、実施例１に係る通信制御システムの構成を説明する。図１は、実施例１に係る通信制御システムの構成を示すブロック図である。
【００２２】
そして、図１に示したＥＰＣ２００は、本実施例のような移動体通信端末における通信制御システムで用いられる無線基地局間のデータ送受信制御を行う管理装置と同様の構成を有し、また、移動体通信端末５００は、一般的に広く利用されているパーソナルコンピュータやワークステーション、家庭用ゲーム機、インターネットＴＶ、ＰＤＡ、あるいは携帯電話やＰＨＳの如き移動体通信端末と同様の構成を有するので、ここでは、詳細な説明は省略する。また、無線基地局Ａ３００と無線基地局Ｂ３２０とは同様の構成を有するので、ここでは、無線基地局Ｂ３２０についてのみ詳細に説明する。
【００２３】
図１に示すように、無線基地局Ｂ３２０は、バッファメモリ３２１と、制御信号送受信部（有線向け）３２２と、呼制御部３２３と、制御信号送受信部（無線向け）３２４と、データ送受信部（有線向け）３２５と、データ送受信部（無線向け）３２６と、タイマ制御部３２７と、パス切替判断部３２８とから構成される。
【００２４】
バッファメモリ３２１は、ＥＰＣ２００や無線基地局Ａ３００、移動体通信端末５００との間の受信データの格納、送信データの格納バッファである。上記した例で具体的に説明すると、バッファメモリ３２１は、接続されるデータ送受信部（有線向け）３２５により、ＥＰＣ２００から移動体通信端末５００宛てに送信されたデータを格納したり、接続されるデータ送受信部（無線向け）３２６により、移動体通信端末５００宛てに送信されるデータを格納したりする。
【００２５】
制御信号送受信部（有線向け）３２２は、ＥＰＣ２００との間の制御信号の送受信を実施する。上記した例で具体的に説明すると、制御信号送受信部（有線向け）３２２は、ＥＰＣ２００から送信された制御信号（例えば、有線経路（パス）切替実施完了信号など）を受信して、呼制御部３２３に出力する。また、制御信号送受信部（有線向け）３２２は、呼制御部３２３の指示により、制御信号をＥＰＣ２００や無線基地局Ａ３００に送信する。
【００２６】
呼制御部３２３は、無線基地局Ａ３００を介した無線経路で無線通信を行っている移動体通信端末５００から、無線経路の切り替えを要求するハンドオーバ要求を受信した場合に、自装置を介した無線経路に切り替える。上記した例で具体的に説明すると、移動体通信端末５００から送信されたハンドオーバ要求は、無線基地局Ａ３００の制御信号送受信部（無線向け）３０４に受信されて、制御信号送受信部（有線向け）３０２から無線基地局Ｂ３２０に送信される。そして、このハンドオーバ要求は、無線基地局Ｂ３２０の制御信号送受信部（有線向け）３２２により受信され、呼制御部３２３に通知される。すると、呼制御部３２３は、無線基地局Ｂ３２０の制御信号送受信部（有線向け）３２２と、無線基地局Ａ３００の制御信号送受信部（有線向け）３０２と制御信号送受信部（無線向け）３０４とを介して、無線経路を切替えるハンドオーバ応答を移動体通信端末５００に送信する。こうすることで、移動体通信端末５００において無線経路の切替が実行される。
【００２７】
さらには、呼制御部３２３は、移動体通信端末５００へのデータ送受信制御を行っている無線基地局Ａ３００を介した有線経路を、自装置を介した有線経路に切り替える要求をパス切替判断部３２８から受信すると、当該要求をＥＰＣ２００に対して送信する。また、呼制御部３２３は、ＥＰＣ２００、無線基地局Ａ３００との間の制御信号の分析／解析を実施し、制御信号に応じて、移動体通信端末５００に対する制御信号を後述する制御信号送受信部（無線向け）３２４を介して送受信したり、バッファメモリ３２１内のデータをデータ送受信部（有線向け）３２５を介して送受信したりする。
【００２８】
また、呼制御部３２３は、無線経路の接続状態を監視し、ハンドオーバの検出および移動体通信端末５００との間の制御信号の分析／解析を実施し、制御信号に応じて、ＥＰＣ２００に対する制御信号を制御信号送受信部（有線向け）３２２を介して送受信したり、バッファメモリ３２１内のデータを後述するデータ送受信部（無線向け）３２６を介して送受信したりする。そして、呼制御部３２３は、ハンドオーバ時の無線区間の切替が完了した際に、パス切替判断要求をパス切替判断部３２８に通知する。
【００２９】
さらに、呼制御部３２３は、後述するパス切替判断部３２８より、パス切替の要求を受信し、ＥＰＣ２００に対してパス切替要求の制御信号を制御信号送受信部（有線向け）３２２を介して送信する。そして、呼制御部３２３は、ＥＰＣ２００よりパス切替失敗の制御信号を受信した際に、パス切替失敗の通知をパス切替判断部３２８に対して行う。
【００３０】
制御信号送受信部（無線向け）３２４は、移動体通信端末５００との間の制御信号の送受信を実施する。上記した例で具体的に説明すると、制御信号送受信部（無線向け）３２４は、移動体通信端末５００から送信された制御信号を受信して呼制御部３２３に出力したり、呼制御部３２３の指示により、ＥＰＣ２００から受信した制御信号を移動体通信端末５００に出力したりする。
【００３１】
データ送受信部（有線向け）３２５は、ＥＰＣ２００および無線基地局Ａ３００との間のデータの送受信を実施する。上記した例で具体的に説明すると、データ送受信部（有線向け）３２５は、移動体通信端末５００から送信された各種データを受信してバッファメモリ３２１に格納したり、呼制御部３２３の指示により、バッファメモリ３２１から各種データを取得して、移動体通信端末５００に送信したりする。また、データ送受信部（有線向け）３２５は、無線基地局Ａ３００からデータを受信してバッファメモリ３２１に格納したり、呼制御部３２３の指示によりバッファメモリ３２１に格納されるデータを取得して無線基地局Ａ３００に送信したりする。
【００３２】
データ送受信部（無線向け）３２６は、移動体通信端末５００との間のデータの送受信を実施する。上記した例で具体的に説明すると、データ送受信部（無線向け）３２６は、ＥＰＣ２００から送信された各種データを受信してバッファメモリ３２１に格納したり、呼制御部３２３の指示により、バッファメモリ３２１から各種データを取得して、ＥＰＣ２００に送信したりする。
【００３３】
タイマ制御部３２７は、タイマの開始および終了通知を実施する。上記した例で具体的に説明すると、タイマ制御部３２７は、後述するパス切替判断部３２８からのタイマ設定を受信してタイマを起動する。その後、タイマ制御部３２７は、該当タイマがタイムアウトした際には、パス切替判断部３２８に対して、タイムアウト通知を行う。
【００３４】
パス切替判断部３２８は、呼制御部３２３により無線経路が切り替えられてから所定時間経過後に、移動体通信端末５００へのデータ送受信制御を行っている無線基地局Ａ３００を介した有線経路を、自装置を介した有線経路に切り替える要求を呼制御部３２３を介してＥＰＣ２００に対して送信する。上記した例で具体的に説明すると、パス切替判断部３２８は、無線経路が切り替えられた旨の通知を呼制御部３２３から受信すると、タイマ制御部３２７にタイマ開始を指示する。その後、パス切替判断部３２８は、タイマ制御部３２７からタイマ完了通知を受信すると、自装置を介した有線経路に切り替える要求を呼制御部３２３に通知する。そして、呼制御部３２３は、自装置を介した有線経路に切り替える要求をＥＰＣ２００に対して送信することで、ＥＰＣ２００にて有線経路の切替が実施される。
【００３５】
［通信制御システムによる処理］
次に、図２〜図６を用いて、実施例１に係る通信制御システムによる処理を説明する。ここでは、はじめに、図２と図３とを用いて、実施例１に係る通信制御システムによる処理シーケンスを説明し、次に、図４〜図６を用いて、各装置における処理の流れを説明する。
【００３６】
（通信制御システムによる処理シーケンス）
まず、図２と図３とを用いて、実施例１に係る通信制御システムによる処理シーケンスを説明する。図２は、実施例１に係る通信制御システムによる処理の流れを示すシーケンス図であり、図３−１は、シーケンスにおける状態１を示す図であり、図３−２は、シーケンスにおける状態２を示す図であり、図３−３は、シーケンスにおける状態３を示す図である。
【００３７】
図２に示すように、この通信制御システムは、図３−１に示すように、無線基地局Ａ３００のセルＢを介して無線通信を行っている移動体通信端末５００と、セルＡとセルＢとを備えた無線通信を制御する無線基地局Ａ３００と、セルＣを備えた無線通信を制御する無線基地局Ｂ３２０と、当該無線基地局Ａ３００と無線基地局Ｂ３２０との間における経路制御およびデータ送受信制御を有線通信にて実施するＥＰＣ２００とから構成されている（状態１）。
【００３８】
このような構成において、移動体通信端末５００は、利用者の地理的移動などによって無線基地局Ｂ３２０のセルＣを利用する環境下に移動した場合にハンドオーバの契機が発生し（ステップＳ１０１）、ハンドオーバ要求を無線基地局Ａ３００に送信する（ステップＳ１０２）。
【００３９】
このハンドオーバ要求を受信した無線基地局Ａ３００の制御信号送受信部（無線向け）３０４は、呼制御部３０３と制御信号送受信部（有線向け）３０２とを介して、当該ハンドオーバ要求を無線基地局Ｂ３２０に送信する（ステップＳ１０３〜ステップＳ１０５）。
【００４０】
そして、無線基地局Ａ３００からハンドオーバ要求を受信した無線基地局Ｂ３２０の制御信号送受信部（有線向け）３２２は、当該ハンドオーバ要求を呼制御部３２３に出力する（ステップＳ１０６）。すると、呼制御部３２３は、データ送受信部（無線向け）３２６とデータ送受信部（有線向け）３２５に対して、データ送受信開始を指示する（ステップＳ１０７とステップＳ１０８）。その後、呼制御部３２３は、制御信号送受信部（有線向け）３２２を介して、ハンドオーバを許可する旨の応答としてハンドオーバ応答を無線基地局Ａ３００に送信する（ステップＳ１０９とステップＳ１１０）。
【００４１】
続いて、無線基地局Ｂ３２０からハンドオーバ応答を受信した無線基地局Ａ３００の制御信号送受信部（有線向け）３０２は、当該応答を呼制御部３０３に出力する（ステップＳ１１１）。すると、呼制御部３０３は、データ送受信部（無線向け）３０６に対してデータ送受信の停止を指示するとともに（ステップＳ１１２）、データ送受信部（有線向け）３０５に対して受信したデータを無線基地局Ｂ３２０に転送することを指示する（ステップＳ１１３）。その後、呼制御部３０３は、制御信号送受信部（無線向け）３０４を介して、ハンドオーバ応答を移動体通信端末５００に送信する（ステップＳ１１４）。
【００４２】
このようにすることで、通信制御システムでは、図３−２に示すように、有線経路として、ＥＰＣ２００〜無線基地局Ａ３００〜無線基地局Ｂ３２０が確立され、無線経路として、無線基地局Ｂ３２０のセルＣ〜移動体通信端末５００が確立中となる。なお、ここでは、無線基地局Ｂ３２０のセルＣと移動体通信端末５００とは、実質的には経路が確立されていることとなるが、無線基地局Ｂ３２０は、移動体通信端末５００に対してデータや制御信号を送信しないように制御する。
【００４３】
図２に戻り、無線基地局Ｂ３２０から無線基地局Ａ３００を介してハンドオーバ応答を受信した移動体通信端末５００は、無線基地局Ｂ３２０とのデータ経路を確立し、当該確立した経路を用いて、経路を切替えたことを示すハンドオーバ完了通知を無線基地局Ｂ３２０に送信する（ステップＳ１１５）。
【００４４】
そして、ハンドオーバ完了通知を受信した無線基地局Ｂ３２０のデータ送受信部（無線向け）３２６は、当該完了通知を呼制御部３２３に出力し（ステップＳ１１６）、呼制御部３２３は、パス切替判断部３２８に対してパス切替判断要求を送信する（ステップＳ１１７）。
【００４５】
このパス切替判断要求を受信したパス切替判断部３２８は、図示しないタイマ制御部３２７に対してタイマ開始指示を送信し、パス切替要否判断処理を実施する（ステップＳ１１８）。ここでは、パス切替判断部３２８は、タイマ制御部３２７からタイマ終了通知を受信すると、パス切替可能と判断する（移動体通信端末５００との無線通信が安定したと判断する）。そして、パス切替可能と判断したパス切替判断部３２８は、パス切替要求を呼制御部３２３に出力する（ステップＳ１１９）。続いて、呼制御部３２３は、当該パス切替要求を制御信号送受信部（有線向け）３２２を介して、ＥＰＣ２００に送信する（ステップＳ１２０とステップＳ１２１）。
【００４６】
このパス切替要求を受信したＥＰＣ２００は、無線基地局Ｂ３２０とのデータ経路を確立し、当該データ経路が確立されると、パスを切替えたことを示すパス切替応答を無線基地局Ｂ３２０に送信する（ステップＳ１２２）。
【００４７】
ＥＰＣ２００から制御信号送受信部（有線向け）３２２を介してパス切替要求を受信した無線基地局Ｂ３２０の呼制御部３２３は、データ送受信部（有線向け）３２５に対して有線経路の切替を指示し、データ送受信部（有線向け）３２５は、ＥＰＣ２００とのパスの接続を行う（ステップＳ１２３とステップＳ１２４）。続いて、呼制御部３２３は、制御信号送受信部（有線向け）３２２を介して無線基地局Ａ３００に対して、パス切替要求を送信する（ステップＳ１２５とステップＳ１２６）。
【００４８】
無線基地局Ｂ３２０から制御信号送受信部（有線向け）３０２を介してパス切替要求を受信した無線基地局Ａ３００の呼制御部３０３は、データ送受信部（有線向け）３０５に対してデータ転送終了を指示し、データ送受信部（有線向け）３０５は、無線基地局Ｂ３２０へのデータ転送を終了する（ステップＳ１２７とステップＳ１２８）。
【００４９】
こうすることで、通信制御システムでは、図３−３に示すように、有線経路として、ＥＰＣ２００〜無線基地局Ｂ３２０が確立され、無線経路として、無線基地局Ｂ３２０〜セルＣ〜移動体通信端末５００が確立されることとなる。なお、ここでは、無線基地局Ｂ３２０は、セルＣを介して、移動体通信端末５００に対してデータや制御信号を送信する。
【００５０】
（無線基地局Ａ３００における処理の流れ）
次に、図４を用いて、実施例１に係る通信制御システムにおける無線基地局Ａの処理の流れを説明する。図４は、実施例１に係る無線基地局Ａにおける処理の流れを示すフローチャートである。
【００５１】
図４に示すように、移動体通信端末５００からハンドオーバ要求を受信すると（ステップＳ２０１肯定）、無線基地局Ａ３００は、当該ハンドオーバ要求を無線基地局Ｂ３２０に転送する（ステップＳ２０２）。
【００５２】
その後、無線基地局Ｂ３２０からハンドオーバ応答を受信すると（ステップＳ２０３肯定）、無線基地局Ａ３００は、移動体通信端末５００とのデータ送受信を停止し、ＥＰＣ２００から移動体通信端末宛てに送信されたデータを無線基地局Ｂ３２０に転送する（ステップＳ２０４）。
【００５３】
そして、有線経路の切り替え完了を示すパス切替要求を無線基地局Ｂ３２０から受信すると（ステップＳ２０５肯定）、無線基地局Ａ３００は、ＥＰＣ２００から移動体通信端末宛てに送信されたデータを無線基地局Ｂ３２０に転送することを停止する（ステップＳ２０６）。
【００５４】
（無線基地局Ｂ３２０における処理の流れ）
次に、図５を用いて、実施例１に係る通信制御システムにおける無線基地局Ｂの処理の流れを説明する。図５は、実施例１に係る無線基地局Ｂにおける処理の流れを示すフローチャートである。
【００５５】
図５に示すように、移動体通信端末５００から無線基地局Ａ３００を介してハンドオーバ要求を受信すると（ステップＳ３０１肯定）、無線基地局Ｂ３２０は、セルＣを介して移動体通信端末５００と無線通信を行う経路を確立し、当該経路が確立したことを示すハンドオーバ応答を無線基地局Ａ３００を介して移動体通信端末５００に送信する（ステップＳ３０２）。
【００５６】
その後、移動体通信端末５００から無線基地局Ａ３００を介して、無線経路が接続されたことを示すハンドオーバ応答を受信した後に、所定の時間が経過すると（ステップＳ３０３肯定）、無線基地局Ｂ３２０は、ＥＰＣ２００に対してパス切替要求（有線経路切替要求）を送信する（ステップＳ３０４）。
【００５７】
そして、パス（有線経路）が切り替わったことを示すパス切替応答をＥＰＣ２００から受信すると（ステップＳ３０５肯定）、無線基地局Ｂ３２０は、データ転送を停止する旨を示すパス切替要求を無線基地局Ａ３００に送信する（ステップＳ３０６）。これ以降、無線基地局Ｂ３２０は、移動体通信端末５００との間では無線経路でデータ送受信を行い、ＥＰＣ２００との間では有線経路でデータ送受信を行うことができ、無線経路と有線経路との両方が切り替わったこととなる。
【００５８】
（ＥＰＣ２００における処理の流れ）
次に、図６を用いて、実施例１に係る通信制御システムにおけるＥＰＣの処理の流れを説明する。図６は、実施例１に係るＥＰＣにおける処理の流れを示すフローチャートである。
【００５９】
図６に示すように、パス（有線経路）の切り替えを要求するパス切替要求を無線基地局Ｂ３２０から受信すると（ステップＳ４０１肯定）、ＥＰＣ２００は、無線基地局Ｂ３２０とのデータ経路を確立し、パスを切替えたことを示すパス切替応答を無線基地局Ｂ３２０に送信する（ステップＳ４０２）。
【００６０】
つまり、ＥＰＣ２００は、無線基地局Ａ３００の管理下から無線基地局Ｂ３２０の管理下に移動体通信端末５００が移動し、無線基地局Ｂ３２０と移動体通信端末５００の間に無線経路が確立された場合であっても、パス（有線経路）の切り替えを要求するパス切替要求を無線基地局Ｂ３２０から受信するまで、移動体通信端末５００宛てのデータを無線基地局Ａ３００に対して送信する。そして、無線基地局Ｂ３２０と移動体通信端末５００の間に無線経路（無線接続）が安定されて、パス切替要求を無線基地局Ｂ３２０から受信すると、ＥＰＣ２００は、移動体通信端末５００宛てのデータを、当該移動体通信端末５００を管理下におく無線基地局Ｂ３２０に対して送信することとなる。
【００６１】
［実施例１による効果］
このように、実施例１によれば、無線基地局Ａ３００を介した無線経路で無線通信を行っている移動体通信端末５００から、無線経路の切り替えを要求するハンドオーバ要求を受信した場合に、自装置を介した無線経路に切り替え、無線経路が切り替えられてから所定時間経過後に、移動体通信端末５００へのデータ送受信制御を行っている無線基地局Ａ３００を介した有線経路を、自装置を介した有線経路に切り替える要求をＥＰＣ２００に対して送信するので、ネットワークの輻輳を抑止することが可能であり、無線基地局間のデータ送受信制御を行うＥＰＣ２００の処理負荷を軽減することが可能である。
【００６２】
具体的には、無線基地局Ｂ３２０は、セルＣと移動体通信端末５００との間に無線通信が確立されて所定の時間経過するまで、有線区間の切替要求をＥＰＣ２００に送信しないことで、確立されたセルＣと移動体通信端末５００との間に無線通信が安定するまで待機することになる。その結果、移動体通信端末５００がセルＢとセルＣとを頻繁に移動したとしても、無線基地局Ｂ３２０は、セルＣと移動体通信端末５００との通信が安定するまで、有線区間切替要求をＥＰＣ２００に対して無駄に送信することがない結果、ネットワークの輻輳を抑止することが可能であり、無線基地局間のデータ送受信制御を行うＥＰＣ２００の処理負荷を軽減することが可能である。
【実施例２】
【００６３】
ところで、実施例１では、セルＣと移動体通信端末５００との間に無線通信が確立されてから所定の時間経過後に、有線区間の切替要求をＥＰＣ２００に送信する場合ついて説明したが、本発明はこれに限定されるものではなく、セルＣと移動体通信端末５００との間に無線通信が確立されてから所定の時間経過後に、さらに、ＥＰＣ２００が管理するネットワークの輻輳状態を判定して、輻輳が判定していない場合にのみ、有線区間の切替要求をＥＰＣ２００に送信することもできる。
【００６４】
つまり、実施例１では、無線基地局Ｂ３２０は、セルＣと移動体通信端末５００との間に無線通信が安定したことの担保として、無線通信確立から所定時間経過後に、有線区間の切替要求をＥＰＣ２００に送信していたが、セルＣと移動体通信端末５００との間に無線通信が安定したことの担保として、無線通信確立から所定時間経過後とネットワークの輻輳状態とを用いることもできる。
【００６５】
そこで、実施例２では、図７を用いて、無線基地局Ｂ３２０は、セルＣと移動体通信端末５００との間に無線通信が確立されてから所定の時間経過後に、さらに、ＥＰＣ２００が管理するネットワークの輻輳状態を判定して、輻輳が判定していない場合にのみ、有線区間の切替要求をＥＰＣ２００に送信する例について説明する。図７は、実施例２に係る通信制御システムにおける処理の流れを示すシーケンス図である。
【００６６】
図７に示すように、無線基地局Ｂ３２０の制御信号送受信部（有線向け）３２２は、ＥＰＣ２００からネットワーク輻輳情報を定期的に（例えば、１時間に１回など）受信する（ステップＳ５０１）。そして、制御信号送受信部（有線向け）３２２は、受信したネットワーク輻輳情報を呼制御部３２３に送信し（ステップＳ５０２）、呼制御部３２３は、受信したネットワーク輻輳情報をＥＰＣ情報ＤＢ３２９に格納する（ステップＳ５０３）。
【００６７】
ここで、ネットワーク輻輳情報について具体的に説明する。呼制御部３２３は、図８に示すように、ＥＰＣ２００から受信した『ＥＰＣ２００のＣＰＵの稼働率を示す「ＣＰＵ使用率」、ＥＰＣ２００の輻輳状態を示す「輻輳情報」』などから構成されるネットワーク輻輳情報をＥＰＣ情報として、ＥＰＣ情報ＤＢ３２９に格納する。また、ＥＰＣ情報ＤＢ３２９は、図示しない複数のＥＰＣそれぞれに対応付けたＥＰＣ番号をインデックスとして、複数のＥＰＣそれぞれに対してＥＰＣ情報を記憶する。ここでは、ＥＰＣ情報ＤＢ３２９は、ＥＰＣ２００に対応した領域にＥＰＣ情報を記憶することとなる。なお、図８は、ＥＰＣ情報ＤＢに記憶される情報の例を示す図である。
【００６８】
その後の移動体通信端末５００からハンドオーバ要求が無線基地局Ｂ３２０に送信されて、無線経路が切り替えられ、移動体通信端末５００がハンドオーバ完了通知を無線基地局Ｂ３２０に送信し、無線基地局Ｂ３２０の呼制御部３２３がパス切替判断要求をパス切替判断部３２８に送信するまでのステップＳ５０４〜ステップＳ５１５までの処理は、実施例１で説明したステップＳ１０１〜ステップＳ１１７までの処理と同様であるので、ここでは詳細な説明は省略する。
【００６９】
そして、無線基地局Ｂ３２０の呼制御部３２３からパス切替判断要求を受信したパス切替判断部３２８は、図示しないタイマ制御部３２７に対してタイマ開始指示を送信し、パス切替要否判断処理を実施する（ステップＳ５１６）。ここでは、パス切替判断部３２８は、タイマ制御部３２７からタイマ終了通知を受信すると、ＥＰＣ情報ＤＢ３２９に格納されているＥＰＣ情報を読み出し、当該ＥＰＣ情報の輻輳情報により、輻輳が発生していないと判断した場合にのみ、パス切替可能と判断する（移動体通信端末５００との無線通信が安定したと判断する）。そして、パス切替可能と判断したパス切替判断部３２８は、パス切替要求を呼制御部３２３に出力する（ステップＳ５１７）。
【００７０】
その後の無線基地局Ｂ３２０からＥＰＣ２００に対してパス切替要求が送信されて、ＥＰＣ２００において有線経路（パス）の切り替えが実行され、無線基地局Ｂ３２０から無線基地局Ａ３００に対してデータ転送を停止する旨のパス切替要求が送信されるステップＳ５１８〜ステップＳ５２４までの処理は、実施例１で説明したステップＳ１２０〜ステップＳ１２８までの処理と同様であるので、ここでは詳細な説明は省略する。
【００７１】
このように、実施例２によれば、無線経路が切り替えられてから所定時間経過後に、保持されている輻輳状況に基づいて、ＥＰＣ２００が制御する有線経路に輻輳が発生していないと判断した場合に、自装置を介した有線経路に切り替える要求をＥＰＣ２００に対して送信するので、上位ノードの輻輳状況に応じたパス切替を実施することが可能となる。その結果、ハンドオーバに伴うパス切替による、上位ノード輻輳を抑止することが可能となる。
【実施例３】
【００７２】
ところで、実施例１では、セルＣと移動体通信端末５００との間に無線通信が確立されてから所定の時間経過後に、有線区間の切替要求をＥＰＣ２００に送信する場合ついて説明したが、本発明はこれに限定されるものではなく、移動体通信端末５００から送信されたハンドオーバ要求からハンドオーバ履歴を取得し、セルＣと移動体通信端末５００との間に無線通信が確立されてから所定の時間経過後に、さらに、取得したハンドオーバ履歴を判定して、有線区間の切替要求をＥＰＣ２００に送信することもできる。
【００７３】
つまり、セルＣと移動体通信端末５００との間に無線通信が安定したことの担保として、無線通信確立から所定時間経過後と移動体通信端末５００のハンドオーバ履歴とを用いることもできる。
【００７４】
そこで、実施例３では、図９を用いて、移動体通信端末５００から送信されたハンドオーバ要求からハンドオーバ履歴を取得し、セルＣと移動体通信端末５００との間に無線通信が確立されてから所定の時間経過後に、さらに、取得したハンドオーバ履歴を判定して、有線区間の切替要求をＥＰＣ２００に送信する例について説明する。図９は、実施例３に係る通信制御システムにおける処理の流れを示すシーケンス図である。なお、実施例３では、実施例１とは異なり、取得したハンドオーバ履歴を判定して、有線区間の切替要求をＥＰＣ２００に送信することを重点的に説明するため、実施例１と同様の処理については省略する。
【００７５】
図９に示すように、移動体通信端末５００は、利用者の地理的移動などによって無線基地局Ｂ３２０のセルＣを利用する環境下に移動した場合にハンドオーバの契機が発生し（ステップＳ６０１）、自装置のハンドオーバ履歴を付加したハンドオーバ要求を無線基地局Ａ３００に送信する（ステップＳ６０２）。
【００７６】
このハンドオーバ要求を受信した無線基地局Ａ３００の制御信号送受信部（無線向け）３０４は、呼制御部３０３にハンドオーバ要求を送信する（ステップＳ６０３）。すると、呼制御部３０３は、ハンドオーバ要求に付加されたハンドオーバ履歴を取得して移動端末情報ＤＢ３１０に格納して読み出すとともに（ステップＳ６０４）、制御信号送受信部（有線向け）３０２を介して、当該ハンドオーバ要求をＥＰＣ２００に送信する（ステップＳ６０５とステップＳ６０６）。
【００７７】
そして、無線基地局Ａ３００からハンドオーバ要求を受信したＥＰＣ２００は、当該ハンドオーバ要求を無線基地局Ｂ３２０に出力する（ステップＳ６０７）。すると、無線基地局Ｂ３２０の呼制御部３２３は、ハンドオーバ要求に付加されたハンドオーバ履歴を取得して移動端末情報ＤＢ３３０に格納する（ステップＳ６０８）。さらに、呼制御部３２３は、ＥＰＣ３００に対して、ハンドオーバを許可する旨の応答としてハンドオーバ応答を送信し、ＥＰＣ２００は、当該ハンドオーバ応答を無線基地局Ａ３００に送信する（ステップＳ６０９とステップＳ６１０）。
【００７８】
ここで、ハンドオーバ履歴について具体的に説明する。呼制御部３２３は、図１０に示すように、移動体通信端末５００から受信した『電話番号とは異なるＩＴＵ−Ｔ勧告Ｅ．２１２に準拠した移動体加入者識別番号を示す「ＩＭＳＩ」、電話番号とは異なる一時的に割り当てられた加入者識別番号を示す「ＴＭＳＩ」、ハンドオーバ実施時刻、ハンドオーバ先セル番号、ハンドオーバ元セル番号を示す「ハンドオーバ履歴」、ハンドオーバ実施時に端末より通知された移動速度を示す「移動速度」』などから構成されるハンドオーバ履歴として移動端末情報ＤＢ３３０に格納する。また、バッファメモリ３２１は、図示しない複数の移動体通信端末それぞれに対応付けた端末番号をインデックスとして、複数の移動体通信端末それぞれに対してハンドオーバ履歴を記憶する。ここでは、バッファメモリ３２１は、移動体通信端末５００に対応した領域に記憶することとなる。なお、無線基地局Ａ３００のバッファメモリ３０１にも同様の形式で同様の情報が記憶されることとなる。また、図１０は、移動端末情報ＤＢ３３０に記憶される情報の例を示す図である。
【００７９】
続いて、無線基地局Ｂ３２０からハンドオーバ応答を受信した無線基地局Ａ３００の制御信号送受信部（有線向け）３０２は、当該応答を呼制御部３０３に出力する（ステップＳ６１１）。すると、呼制御部３０３は、格納したハンドオーバ履歴を削除するとともに（ステップＳ６１２）する。続いて、呼制御部３０３は、データ送受信部（無線向け）３０６に対してデータ送受信の停止を指示し、データ送受信部（有線向け）３０５に対して受信したデータを無線基地局Ｂ３２０に転送することを指示した後、制御信号送受信部（無線向け）３０４を介してハンドオーバ応答を移動体通信端末５００に送信する（ステップＳ６１３）。
【００８０】
その後、無線基地局Ｂ３２０から無線基地局Ａ３００を介してハンドオーバ応答を受信した移動体通信端末５００は、無線基地局Ｂ３２０とのデータ経路を確立し、当該確立した経路を用いて、経路を切替えたことを示すハンドオーバ完了通知を無線基地局Ｂ３２０に送信する（ステップＳ６１４）。
【００８１】
そして、ハンドオーバ完了通知を受信した無線基地局Ｂ３２０の制御信号送受信部（無線向け）３２４は、当該完了通知を呼制御部３２３に出力し（ステップＳ６１５）、呼制御部３２３は、パス切替判断部３２８に対してパス切替判断要求を送信する（ステップＳ６１６）。
【００８２】
このパス切替判断要求を受信したパス切替判断部３２８は、図示しないタイマ制御部３２７に対してタイマ開始指示を送信し、パス切替要否判断処理を実施する（ステップＳ６１７）。ここでは、パス切替判断部３２８は、タイマ制御部３２７からタイマ終了通知を受信すると、バッファメモリ３２１に格納されているハンドオーバ履歴を読み出し、当該ハンドオーバ履歴により、移動体通信端末５００の無線通信が安定していると判断した場合にのみ、パス切替可能と判断する（移動体通信端末５００との無線通信が安定したと判断する）。そして、パス切替可能と判断したパス切替判断部３２８は、パス切替要求を呼制御部３２３に出力する（ステップＳ６１８）。
【００８３】
ハンドオーバ履歴に基づく判定基準としては、例えば、１分間のハンドオーバ回数が３回以下であるなどのように、任意に指定して判定することができる。
【００８４】
その後の無線基地局Ｂ３２０からＥＰＣ２００に対してパス切替要求が送信されて、ＥＰＣ２００において有線経路（パス）の切り替えが実行され、無線基地局Ｂ３２０から無線基地局Ａ３００に対してデータ転送を停止する旨のパス切替要求が送信されるステップＳ６１９以降の処理は、実施例１で説明したステップＳ１２０〜ステップＳ１２８までの処理と同様であるので、ここでは詳細な説明は省略する。
【００８５】
このように、実施例３によれば、無線基地局Ａ３００を介した無線経路で無線通信を行っている移動体通信端末５００から、無線経路の切り替えを要求するハンドオーバ要求を受信した場合に、自装置を介した無線経路に切り替えるとともに、当該ハンドオーバ要求に付加されたハンドオーバ履歴を取得して移動端末情報ＤＢ３３０に格納し、無線経路が切り替えられてから所定時間経過後に、移動端末情報ＤＢ３３０に格納されているハンドオーバ履歴に基づいて、移動体通信端末５００の通信が安定していると判断した場合に、自装置である無線基地局Ｂ３２０を介した有線経路に切り替える要求をＥＰＣ２００に対して送信するので、セルの境界に端末が存在する場合などハンドオーバが連続して発生していることをハンドオーバ履歴により判断することが可能となり、ハンドオーバ実施状況をより正確に把握したパス切替が可能となる。
【実施例４】
【００８６】
ところで、実施例３では、セルＣと移動体通信端末５００との間に無線通信が確立されてから所定の時間経過後に、ハンドオーバ要求に付加されているハンドオーバ履歴に基づいて、有線区間の切替要求をＥＰＣ２００に送信する場合ついて説明したが、本発明はこれに限定されるものではなく、ハンドオーバ要求に付加されている移動速度に基づいて、有線区間の切替要求をＥＰＣ２００に送信することもできる。
【００８７】
つまり、セルＣと移動体通信端末５００との間に無線通信が安定したことの担保として、無線通信確立から所定時間経過後と移動体通信端末５００の移動速度とを用いることもできる。
【００８８】
そこで、実施例４では、図１１を用いて、移動体通信端末５００から送信されたハンドオーバ要求から移動速度を取得し、セルＣと移動体通信端末５００との間に無線通信が確立されてから所定の時間経過後に、さらに、取得した移動速度を判定して、有線区間の切替要求をＥＰＣ２００に送信する例について説明する。図１１は、実施例４に係る通信制御システムにおける処理の流れを示すシーケンス図である。なお、実施例４では、実施例１とは異なり、取得した移動速度を判定して、有線区間の切替要求をＥＰＣ２００に送信することを重点的に説明するため、実施例１や実施例３と同様の処理については省略する。
【００８９】
図１１に示すように、移動体通信端末５００は、利用者の地理的移動などによって無線基地局Ｂ３２０のセルＣを利用する環境下に移動した場合にハンドオーバの契機が発生し（ステップＳ７０１）、自装置のハンドオーバ履歴（移動速度）を付加したハンドオーバ要求を無線基地局Ａ３００に送信する（ステップＳ７０２）。
【００９０】
このハンドオーバ要求を受信した無線基地局Ａ３００の制御信号送受信部（無線向け）３０４は、呼制御部３０３にハンドオーバ要求を送信し、呼制御部３０３は、ハンドオーバ要求に付加されたハンドオーバ履歴（移動速度）を取得して移動端末情報ＤＢ３１０に格納する（ステップＳ７０３）。
【００９１】
続いて、呼制御部３０３は、格納された移動速度を取得し（ステップＳ７０４）、制御信号送受信部（有線向け）３０２を介して、取得した移動速度を付加したハンドオーバ要求をＥＰＣ２００に送信する（ステップＳ７０５とステップＳ７０６）。
【００９２】
そして、無線基地局Ａ３００からハンドオーバ要求を受信したＥＰＣ２００は、当該ハンドオーバ要求を無線基地局Ｂ３２０に出力する（ステップＳ７０７）。すると、無線基地局Ｂ３２０の呼制御部３２３は、ハンドオーバ要求に付加されたハンドオーバ履歴（移動速度）を取得して移動端末情報ＤＢ３３０に格納する（ステップＳ７０８）。さらに、呼制御部３２３は、ＥＰＣ３００に対して、ハンドオーバを許可する旨の応答としてハンドオーバ応答を送信し、ＥＰＣ２００は、当該ハンドオーバ応答を無線基地局Ａ３００に送信する（ステップＳ７０９とステップＳ７１０）。
【００９３】
続いて、無線基地局Ｂ３２０からハンドオーバ応答を受信した無線基地局Ａ３００の制御信号送受信部（有線向け）３０２は、当該応答を呼制御部３０３に出力する（ステップＳ７１１）。すると、呼制御部３０３は、格納したハンドオーバ履歴を削除する（ステップＳ７１２）。続いて、呼制御部３０３は、データ送受信部（無線向け）３０６に対してデータ送受信の停止を指示し、データ送受信部（有線向け）３０５に対して受信したデータを無線基地局Ｂ３２０に転送することを指示した後、制御信号送受信部（無線向け）３０４を介して、ハンドオーバ応答を移動体通信端末５００に送信する（ステップＳ７１３）。
【００９４】
その後、無線基地局Ｂ３２０から無線基地局Ａ３００を介してハンドオーバ応答を受信した移動体通信端末５００は、無線基地局Ｂ３２０とのデータ経路を確立し、当該確立した経路を用いて、経路を切替えたことを示すハンドオーバ完了通知を無線基地局Ｂ３２０に送信する（ステップＳ７１４）。
【００９５】
そして、ハンドオーバ完了通知を受信した無線基地局Ｂ３２０の制御信号送受信部（無線向け）３２４は、当該完了通知を呼制御部３２３に出力し（ステップＳ７１５）、呼制御部３２３は、パス切替判断部３２８に対してパス切替判断要求を送信する（ステップＳ７１６）。
【００９６】
このパス切替判断要求を受信したパス切替判断部３２８は、図示しないタイマ制御部３２７に対してタイマ開始指示を送信し、パス切替要否判断処理を実施する（ステップＳ７１７）。ここでは、パス切替判断部３２８は、タイマ制御部３２７からタイマ終了通知を受信すると、移動端末情報ＤＢ３３０に格納されているハンドオーバ履歴の移動速度（図１０参照）を読み出し、当該移動速度により、移動体通信端末５００の移動速度が安定していると判断した場合にのみ、パス切替可能と判断する（移動体通信端末５００との無線通信が安定したと判断する）。そして、パス切替可能と判断したパス切替判断部３２８は、パス切替要求を呼制御部３２３に出力する（ステップＳ７１８）。
【００９７】
移動速度に基づく判定基準としては、例えば、移動速度が時速３０Ｋｍ以下である場合には、パス切替可能と判断するなどのように、任意に指定して判定することができる。
【００９８】
その後の無線基地局Ｂ３２０からＥＰＣ２００に対してパス切替要求が送信されて、ＥＰＣ２００において有線経路（パス）の切り替えが実行され、無線基地局Ｂ３２０から無線基地局Ａ３００に対してデータ転送を停止する旨のパス切替要求が送信されるステップＳ７１９以降の処理は、実施例１で説明したステップＳ１２０〜ステップＳ１２８までの処理と同様であるので、ここでは詳細な説明は省略する。
【００９９】
このように、実施例４によれば、無線基地局Ａ３００を介した無線経路で無線通信を行っている移動体通信端末５００から、無線経路の切り替えを要求するハンドオーバ要求を受信した場合に、自装置を介した無線経路に切り替えるとともに、当該ハンドオーバ要求に付加された速度情報を取得してバッファメモリ３２１に格納し、無線経路が切り替えられてから所定時間経過後に、バッファメモリ３２１に格納されている速度情報が所定の速度以下である場合に、自装置である無線基地局Ｂ３２０を介した有線経路に切り替える要求をＥＰＣ２００に対して送信するので、移動体通信端末５００の移動速度に応じたパス切替を行うことが可能となり、移動体通信端末５００が高速で移動している場合には、異なるセルへのハンドオーバが連続して発生する可能性があることを予測することが可能となり、ハンドオーバ実施状況をより正確に把握したパス切替が可能となる。
【実施例５】
【０１００】
ところで、本発明では、無線基地局Ｂ３２０がパス切替要求をＥＰＣ２００に送信し、ＥＰＣ２００にてパス切替が失敗した場合であっても、タイマを再度起動してパス切替のリトライをすることができる。
【０１０１】
そこで、実施例５では、図１２を用いて、無線基地局Ｂ３２０がパス切替要求をＥＰＣ２００に送信し、ＥＰＣ２００にてパス切替が失敗した場合であっても、タイマを再度起動してパス切替のリトライをする例について説明する。図１２は、実施例５に係る通信制御システムにおける処理の流れを示すシーケンス図である。なお、実施例５では、無線基地局Ｂ３２０がパス切替要求をＥＰＣ２００に送信し、ＥＰＣ２００にてパス切替が失敗した場合であっても、タイマを再度起動してパス切替のリトライをすることを重点的に説明するため、実施例１〜実施例４と同様の処理については省略する。
【０１０２】
図１２に示すように、移動体通信端末５００からハンドオーバ要求が送信されて、無線基地局Ｂ３２０で有線経路のパス切替判断が実施され、有線経路のパス切替要求がＥＰＣ２００に送信されるまでのステップＳ８０１〜ステップＳ８１６までの処理は、実施例１で説明したステップＳ１０１〜ステップＳ１２１までの処理と同様であるので、ここでは詳細な説明は省略する。
【０１０３】
その後、パス切替要求を受信したＥＰＣ２００は、ネットワーク輻輳やネットワーク障害などにより、有線経路の切り替えが失敗すると（ステップＳ８１７）、パス切替失敗応答を無線基地局Ｂ３２０に送信する（ステップＳ８１８）。
【０１０４】
このパス切替失敗応答を受信した無線基地局Ｂ３２０の制御信号送受信部（有線向け）３２２は、当該応答を呼制御部３２３を介してパス切替判断部３２８に送信する（ステップＳ８１９とステップＳ８２０）。そして、パス切替判断部３２８は、このパス切替失敗応答を受信したことにより、タイマ制御部３２７に対して、再度タイマ起動を指示する（ステップＳ８２１）。
【０１０５】
その後、タイマ制御部３２７からタイマ完了（タイムアウト）の通知を受けたパス切替判断部３２８は、パス切替要求を呼制御部３２３に出力し（ステップＳ８２２とステップＳ８２３）、呼制御部３２３は、当該パス切替要求を制御信号送受信部（有線向け）３２２を介して、ＥＰＣ２００に送信する（ステップＳ８２４とステップＳ８２５）。
【０１０６】
そして、ステップＳ８２６のパス切替が実施される処理は、実施例１で説明したステップＳ１２２〜ステップＳ１２８の処理と同様であるので、ここでは詳細な説明は省略する。
【０１０７】
このように、実施例５によれば、自装置である無線基地局Ｂ３２０を介した有線経路に切り替える要求をＥＰＣ２００に対して送信し、ＥＰＣ２００から有線経路切り替えが失敗したことを示す切替失敗応答を受信した場合に、当該切り替える前の有線経路を用いて移動体通信端末５００と通信を行うので、切替え前に確立したパスを使用し、ハンドオーバ先セルでの通信を継続することが可能となる。
【０１０８】
また、実施例５によれば、自装置である無線基地局Ｂ３２０を介した有線経路に切り替える要求をＥＰＣ２００に対して送信し、ＥＰＣ２００から有線経路切り替えが失敗したことを示す切替失敗応答を受信した場合に、当該切り替える前の有線経路を用いて移動体通信端末５００と通信を行う一方で、さらに所定時間経過後に、自装置である無線基地局Ｂ３２０を介した有線経路に切り替える要求をＥＰＣ２００に対して送信するので、パス切替が失敗した場合でも、切替え前に確立したパスを使用し、ハンドオーバ先セルでの通信を継続することが可能となる。さらに、ハンドオーバ先での通信を継続しつつ、一定周期後のパス切替実施を実施することが可能となる。
【実施例６】
【０１０９】
さて、これまで本発明の実施例について説明したが、本発明は上述した実施例以外にも、種々の異なる形態にて実施されてよいものである。そこで、以下に示すように、（１）装置接続構成、（２）有線経路切替失敗時の対応、（３）システム構成等、（４）プログラムにそれぞれ区分けして異なる実施例を説明する。
【０１１０】
（１）装置接続構成
上記した実施例１〜５では、ＥＰＣ２００と無線基地局Ａ３００と無線基地局Ｂ３２０と移動体通信端末５００とから構成される通信制御システムについて説明したが、本発明はこれに限定されるものではなく、複数の移動体通信端末が接続されていてもよく、また、複数の無線基地局が接続されていてもよく、他の無線基地局同士の接続を制御する他の複数のＥＰＣが接続されていてもよい。また、無線基地局Ａ３００と無線基地局Ｂ３２０とにそれぞれ収容されているセルの数も限定するものではく、それぞれ他の複数のセルを収容してもよい。
【０１１１】
（２）有線経路切替失敗時の対応
また、実施例５では、ＥＰＣ２００において、有線経路の切り替えが失敗した場合に、無線基地局Ｂ３２０は、切替をリトライする例について説明したが、本発明はこれに限定されるものではなく、有線経路の切り替えが失敗した場合に様々な手法を実施することができる。例えば、無線基地局Ｂ３２０は、有線経路の切り替えが失敗した場合に、リトライを行わず、既に確立されているＥＰＣ２００〜無線基地局Ａ３００の有線経路（パス）を利用して、移動体通信端末５００と通信を行うようにしてもよい。そうすることにより、有線経路の切り替えが成功しなくても、遮断することなく通信を行うことが可能である。
【０１１２】
（３）システム構成等
また、本実施例において説明した各処理のうち、自動的におこなわれるものとして説明した処理（例えば、パス切替実施処理やタイマ処理など）の全部または一部を手動的におこなうこともできる。この他、上記文書中や図面中で示した処理手順、制御手順、具体的名称、各種のデータやパラメータを含む情報（例えば、図８や図１０など）については、特記する場合を除いて任意に変更することができる。
【０１１３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合（例えば、呼制御部とパス切替判断部とを統合するなど）して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１１４】
（４）プログラム
ところで、上記の実施例で説明した各種の処理は、あらかじめ用意されたプログラムをパーソナルコンピュータやワークステーションなどのコンピュータシステムで実行することによって実現することができる。そこで、以下では、上記の実施例と同様の機能を有するプログラムを実行するコンピュータシステムを他の実施例として説明する。
【０１１５】
図１３は、通信制御制御プログラムを実行するコンピュータシステムの例を示す図である。図１３に示すように、コンピュータシステム６００は、ＲＡＭ６０１と、ＨＤＤ６０２と、ＲＯＭ６０３と、ＣＰＵ６０４とから構成される。ここで、ＲＯＭ６０３には、上記の実施例と同様の機能を発揮するプログラム、つまり、図１３に示すように、無線経路切替プログラム６０３ａと、有線経路切替要求送信プログラム６０３ｂとがあらかじめ記憶されている。
【０１１６】
そして、ＣＰＵ６０４には、これらのプログラム６０３ａと６０３ｂとを読み出して実行することで、図１３に示すように、無線経路切替プロセス６０４ａと、有線経路切替要求送信プロセス６０４ｂとなる。なお、無線経路切替プロセス６０４ａは、図１に示した、呼制御部３２３に対応し、同様に、有線経路切替要求送信プロセス６０４ｂは、呼制御部３２３とパス切替判断部３２８とに対応する。
【０１１７】
また、ＨＤＤ６０２は、移動体通信端末５００やＥＰＣ２００から受信した制御信号などを記憶し、さらに、移動体通信端末５００から受信したハンドオーバ履歴やＥＰＣ２００から受信したネットワーク輻輳情報（ＥＰＣ情報）などを記憶する。
【０１１８】
ところで、上記したプログラム６０３ａと６０３ｂは、必ずしもＲＯＭ６０３に記憶させておく必要はなく、例えば、コンピュータシステム６００に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステム６００の内外に備えられるハードディスクドライブ（ＨＤＤ）などの「固定用の物理媒体」、さらに、公衆回線、インターネット、ＬＡＮ、ＷＡＮなどを介してコンピュータシステム６００に接続される「他のコンピュータシステム」に記憶させておき、コンピュータシステム６００がこれらからプログラムを読み出して実行するようにしてもよい。
【符号の説明】
【０１１９】
２００  ＥＰＣ
３００  無線基地局Ａ
３０１  バッファメモリ
３０２  制御信号送受信部（有線向け）
３０３  呼制御部
３０４  制御信号送受信部（無線向け）
３０５  データ送受信部（有線向け）
３０６  データ送受信部（無線向け）
３０７  タイマ制御部
３０８  パス切替判断部
３１０  移動端末情報ＤＢ
３２０  無線基地局Ｂ
３２１  バッファメモリ
３２２  制御信号送受信部（有線向け）
３２３  呼制御部
３２４  制御信号送受信部（無線向け）
３２５  データ送受信部（有線向け）
３２６  データ送受信部（無線向け）
３２７  タイマ制御部
３２８  パス切替判断部
３２９  ＥＰＣ情報ＤＢ
３３０  移動端末情報ＤＢ
５００  移動体通信端末
６００  コンピュータシステム
６０１  ＲＡＭ
６０２  ＨＤＤ
６０３  ＲＯＭ
６０３ａ  無線経路切替プログラム
６０３ｂ  有線経路切替要求送信プログラム
６０４  ＣＰＵ
６０４ａ  無線経路切替プロセス
６０４ｂ  有線経路切替要求送信プロセス
【国際調査報告】
2009122523.tif 000021
2009122523.tif 000022
2009122523.tif 000023
2009122523.tif 000024